(57)【要約】  本開示は、制御方法、端末及びネットワーク側ネットワーク要素を提供し、前記制御方法は、端末が能力シグナリングの最適化をサポートするか否かの指示情報と、端末の能力シグナリングの最適化能力と、のうちの少なくとも１つを含む第１の情報を送信するステップを含む。【選択図】図１
2021532678.tif 000002
【特許請求の範囲】
【請求項１】
端末に適用される制御方法であって、
端末が能力シグナリングの最適化をサポートするか否かの指示情報と、端末の能力シグナリングの最適化能力と、のうちの少なくとも１つを含む第１の情報を送信するステップを含む、制御方法。
【請求項２】
前記第１の情報を送信するステップは、
所定の条件が満たされた場合に、前記第１の情報を送信することを含み、
前記所定の条件が、端末が能力シグナリングの最適化をサポートすること、端末が能力シグナリングの最適化をサポートすることから能力シグナリングの最適化をサポートしないことに変更すること、端末が能力シグナリングの最適化をサポートしないことから能力シグナリングの最適化をサポートすることに変更すること、端末が能力シグナリングの最適化能力を有すること、端末の能力シグナリングの最適化能力の変更、端末が能力シグナリングの最適化能力を取得する要求情報を受信すること、端末の能力シグナリングの最適化能力がオンになること、及び端末の能力シグナリングの最適化能力がオフになること、のうちの少なくとも１つを含む、請求項１に記載の制御方法。
【請求項３】
端末に適用される制御方法であって、
第１の指示情報を受信するステップと、
前記第１の指示情報に基づいて、端末能力識別の関連情報と第１の情報のうちの少なくとも１つを送信するステップと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む、制御方法。
【請求項４】
前記第１の指示情報は、
能力識別情報を取得するか否かの指示情報と、能力識別情報のタイプ情報と、能力識別情報及び端末能力情報を取得するか否かの指示情報と、端末能力情報を取得するか否かの指示情報と、のうちの少なくとも１つを含む、請求項３に記載の制御方法。
【請求項５】
前記能力識別情報のタイプ情報は、
能力識別情報に対応するカードスロット情報と、能力識別情報に対応するカード情報と、能力識別情報に対応するサービスネットワーク情報と、能力識別情報のネットワークタイプ情報と、のうちの少なくとも１つを含む、請求項４に記載の制御方法。
【請求項６】
前記能力識別情報に対応するカードスロット情報は、カードスロットの識別情報と、カードスロットの番号と、第１のカードスロットの情報と、第２のカードスロットの情報と、メインカードスロット又はサブカードスロットの指示情報と、能力が全てのカードスロットに適用されるか否かの指示情報と、能力がカードスロットを区別しないか否かの指示情報と、のうちの少なくとも１つを含む、請求項５に記載の制御方法。
【請求項７】
前記能力識別情報に対応するカード情報は、カードの番号と、カードの所在するカードスロットの番号と、メインカード又はサブカードの指示情報と、能力が全てのカードに適用されるか否かの指示情報と、能力がカードを区別しないか否かの指示情報と、のうちの少なくとも１つを含む、請求項５に記載の制御方法。
【請求項８】
前記能力識別情報に対応するサービスネットワーク情報は、サービスネットワークのネットワーク識別情報と、能力識別情報が全てのサービスネットワークに適用されるか否かの指示情報と、能力識別情報がサービスネットワークを区別しないか否かの指示情報と、のうちの少なくとも１つを含む、請求項５に記載の制御方法。
【請求項９】
前記能力識別情報に対応するネットワークタイプ情報は、ネットワークタイプと、能力識別情報が全てのネットワークタイプに適用されるか否かの指示情報と、能力識別情報がネットワークタイプを区別しないか否かの指示情報と、のうちの少なくとも１つを含む、請求項５に記載の制御方法。
【請求項１０】
前記端末能力識別の関連情報は、
端末能力識別情報と、能力識別情報のタイプ情報と、能力識別情報によりマッピングされた端末能力情報と、のうちの少なくとも１つを含む、請求項３に記載の制御方法。
【請求項１１】
前記端末能力識別の関連情報を送信するステップは、
能力識別情報を取得するか否かの前記指示情報が能力識別情報を取得することを指示する場合、端末能力識別情報、及び／又は、端末能力識別情報によりマッピングされた端末能力情報を送信するステップと、
能力識別情報を取得するか否かの前記指示情報が能力識別情報を取得しないことを指示する場合、端末能力情報を送信するステップと、
能力識別情報及び端末能力情報を取得するか否かの前記指示情報が能力識別情報及び端末能力情報を取得することを指示する場合、端末能力識別情報、及び／又は、端末能力情報を送信するステップと、
前記能力識別情報のタイプ情報に基づいて、前記能力識別情報のタイプ情報に対応する端末能力識別情報を送信するステップと、
端末能力情報を取得するか否かの前記指示情報が端末能力情報を取得することを指示する場合、端末能力情報、及び／又は、前記端末能力情報によりマッピングされた端末能力識別情報を送信するステップと、のうちの少なくとも１つを含む、請求項１０に記載の制御方法。
【請求項１２】
ネットワーク側ネットワーク要素に適用される制御方法であって、
端末が能力シグナリングの最適化をサポートするか否かの指示情報と、端末の能力シグナリングの最適化能力と、のうちの少なくとも１つを含む第１の情報を取得するステップと、
前記第１の情報に基づいて、端末能力シグナリングの最適化の動作を実行するステップと、を含む、制御方法。
【請求項１３】
前記端末能力シグナリングの最適化の動作を実行するステップは、
端末に端末能力識別情報を割り当てるステップと、
端末能力識別の関連情報の取得を要求する第１の指示情報を第１のターゲット側に送信するステップと、
端末能力識別情報を削除するか又はサスペンドするステップと、
端末に端末能力識別情報を回復するステップと、
端末能力識別の関連情報を削除するか又はサスペンドする指示情報を第２のターゲット側に送信するステップと、
前記第１の情報を第３のターゲット側に送信するステップと、のうちの少なくとも１つを含む、請求項１２に記載の制御方法。
【請求項１４】
前記端末に端末能力識別情報を割り当てるステップは、
端末が第１の条件を満たす場合に、前記端末に前記端末能力識別情報を割り当てるステップを含み、
及び／又は、
前記端末能力識別情報を取得する指示情報を第１のターゲット側に送信するステップは、
端末が第１の条件を満たす場合に、前記端末能力識別情報を取得する前記指示情報を前記第１のターゲット側に送信することを含み、
及び／又は、
端末能力識別情報を削除するか又はサスペンドする前記ステップは、
端末が第２の条件を満たす場合に、前記端末能力識別情報を削除するか又はサスペンドするステップを含み、
及び／又は、
端末能力識別情報を削除するか又はサスペンドする指示情報を第２のターゲット側に送信する前記ステップは、
端末が第２の条件を満たす場合に、端末能力識別情報を削除するか又はサスペンドする前記指示情報を前記第２のターゲット側に送信するステップを含み、
及び／又は、
前記端末に端末能力識別情報を回復するステップは、
端末が第３の条件を満たす場合に、前記端末に前記端末能力識別情報を回復するステップを含み、
及び／又は、
前記第１の情報を第３のターゲット側に送信するステップは、
端末が第４の条件を満たす場合に、前記第１の情報を前記第３のターゲット側に送信するステップを含み、 
前記第１の条件が、端末が能力シグナリングの最適化をサポートすることと、端末が能力シグナリングの最適化能力を有することと、端末能力識別情報が存在しないことと、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含み、 
前記第２の条件が、端末の能力シグナリングの最適化能力が能力シグナリングの最適化をサポートすることから能力シグナリングの最適化をサポートしないことに変更されることと、端末の能力シグナリングの最適化能力がオフになることと、のうちの少なくとも１つを含み、
前記第３の条件が、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含み、
前記第４の条件が、端末が能力シグナリングの最適化をサポートすることと、端末が能力シグナリングの最適化能力を有することと、端末の能力シグナリングの最適化能力の変更と、のうちの少なくとも１つを含む、請求項１３に記載の制御方法。
【請求項１５】
ネットワーク側ネットワーク要素に適用される制御方法であって、
端末能力識別の関連情報を取得する応答情報を受信するステップと、
端末能力識別の関連情報を取得する前記応答情報に基づいて、端末が能力シグナリングの最適化をサポートするか否か、又は能力シグナリングの最適化能力を有するか否かを決定するステップと、を含む、制御方法。
【請求項１６】
前記端末能力識別の関連情報を取得する応答情報は、
端末能力識別情報と端末能力情報のうちの少なくとも１つを含む、請求項１５に記載の制御方法。
【請求項１７】
端末に適用される制御方法であって、
第３の情報を取得するステップと、
前記第３の情報に基づいて、端末能力識別の関連情報を送信するステップと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む、制御方法。
【請求項１８】
前記端末能力識別の関連情報は、端末能力識別情報と、能力識別情報のタイプ情報と、能力識別情報によりマッピングされた端末能力情報と、のうちの少なくとも１つを含む、請求項１７に記載の制御方法。
【請求項１９】
ネットワーク側ネットワーク要素に適用される制御方法であって、
第２の情報を取得するステップと、
前記第２の情報に基づいて、第３の情報を送信するステップと、を含み、
前記第２の情報が、 ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む、制御方法。
【請求項２０】
前記ネットワークが端末能力シグナリングの最適化をサポートするか否かの指示情報が、ネットワークが端末能力シグナリングの最適化をサポートすることを指示する場合、前記ネットワークが端末能力シグナリングの最適化をサポートすることは、ＲＡＮネットワーク要素が端末能力シグナリングの最適化をサポートすることと、ＣＮネットワーク要素が端末能力シグナリングの最適化をサポートすることと、ＲＡＮネットワーク要素及びＣＮネットワーク要素がいずれも端末能力シグナリングの最適化をサポートすることと、のうちのいずれか１つを含む、請求項１９に記載の制御方法。
【請求項２１】
前記ネットワーク側ネットワーク要素がＲＡＮネットワーク要素である場合、前記ＲＡＮネットワーク要素は、ブロードキャストメッセージにより前記第３の情報を送信し、
或いは、前記ネットワーク側ネットワーク要素がＲＡＮネットワーク要素である場合、前記ＲＡＮネットワーク要素は、ＣＮネットワーク要素から前記ＣＮネットワーク要素が端末能力シグナリングの最適化をサポートするか否かの指示情報を取得し、
或いは、前記ネットワーク側ネットワーク要素がＣＮネットワーク要素である場合、前記ＣＮネットワーク要素は、端末アクセス時に端末に前記第３の情報を送信する、請求項１９に記載の制御方法。
【請求項２２】
端末が能力シグナリングの最適化をサポートするか否かの指示情報と、端末の能力シグナリングの最適化能力と、のうちの少なくとも１つを含む第１の情報を送信する第１の送信モジュールを含む、端末。
【請求項２３】
第１の指示情報を受信する第１の受信モジュールと、
前記第１の指示情報に基づいて、端末能力識別の関連情報と第１の情報のうちの少なくとも１つを送信する第２の送信モジュールと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む、端末。
【請求項２４】
端末が能力シグナリングの最適化をサポートするか否かの指示情報と、端末の能力シグナリングの最適化能力と、のうちの少なくとも１つを含む第１の情報を取得する第１の取得モジュールと、
前記第１の情報に基づいて、端末能力シグナリングの最適化の動作を実行する実行モジュールと、を含む、ネットワーク側ネットワーク要素。
【請求項２５】
端末能力識別の関連情報を取得する応答情報を受信する第２の受信モジュールと、
端末能力識別の関連情報を取得する前記応答情報に基づいて、端末が能力シグナリングの最適化をサポートするか否か、又は能力シグナリングの最適化能力を有するか否かを決定する決定モジュールと、を含む、ネットワーク側ネットワーク要素。
【請求項２６】
第３の情報を取得する第２の取得モジュールと、
前記第３の情報に基づいて、端末能力識別の関連情報を送信する第３の送信モジュールと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む、端末。
【請求項２７】
第２の情報を取得する第３の取得モジュールと、
前記第２の情報に基づいて、第３の情報を送信する第４の送信モジュールと、を含み、
前記第２の情報が、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む、ネットワーク側ネットワーク要素。
【請求項２８】
メモリと、プロセッサと、前記メモリに記憶されて前記プロセッサ上で動作可能なプロセッサを含み、前記プロセッサが前記プロセッサによって実行されると、請求項１〜２１のいずれか１項に記載の制御方法のステップを実現するコンピュータプログラムとを含む、通信装置。
【請求項２９】
プロセッサによって実行されると、請求項１〜２１のいずれか１項に記載の制御方法のステップを実現するコンピュータプログラムが記憶されているコンピュータ可読記憶媒体。
【発明の詳細な説明】
【技術分野】
【０００１】
（関連出願の相互参照）
本願は、２０１８年８月１日に提出された中国特許出願第２０１８１０８６６２９４．４号の優先権を主張するものであり、その全ての内容は、参照により本願に組み込まれるものとする。
本開示は、通信の技術分野に関し、特に制御方法、端末及びネットワーク側ネットワーク要素に関する。
【背景技術】
【０００２】
ネットワーク技術の進化に伴い、端末がサポートする必要のある能力が多くなるとともに、端末がネットワークに報告する必要のある能力も多くなっている。そのため、端末の能力報告によるエアインタフェースの負荷が大きくなっている。
【０００３】
しかしながら、どのように端末能力の報告によるオーバーヘッドを低減するかは明確ではない。
【発明の概要】
【発明が解決しようとする課題】
【０００４】
本開示の実施例は、どのように端末能力の報告によるオーバーヘッドを低減するかが明確ではないという問題を解決するために、制御方法、端末及びネットワーク側ネットワーク要素を提供する。
【課題を解決するための手段】
【０００５】
第１の態様では、本開示の実施例に係る、端末に適用される制御方法は、
端末が能力シグナリングの最適化をサポートするか否かの指示情報と、端末の能力シグナリングの最適化能力と、のうちの少なくとも１つを含む第１の情報を送信するステップを含む。
【０００６】
第２の態様では、本開示の実施例に係る、端末に適用される制御方法は、
第１の指示情報を受信するステップと、
前記第１の指示情報に基づいて、端末能力識別の関連情報と第１の情報のうちの少なくとも１つを送信するステップと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む。
【０００７】
第３の態様では、本開示の実施例に係る、ネットワーク側ネットワーク要素に適用される制御方法は、
端末が能力シグナリングの最適化をサポートするか否かの指示情報と、端末の能力シグナリングの最適化能力と、のうちの少なくとも１つを含む第１の情報を取得するステップと、
前記第１の情報に基づいて、端末能力シグナリングの最適化の動作を実行するステップと、を含む。
【０００８】
第４の態様では、本開示の実施例に係る、ネットワーク側ネットワーク要素に適用される制御方法は、
端末能力識別の関連情報を取得する応答情報を受信するステップと、
端末能力識別の関連情報を取得する前記応答情報に基づいて、前記端末が能力シグナリングの最適化をサポートするか否か、又は能力シグナリングの最適化能力を有するか否かを決定するステップと、を含む。
【０００９】
第５の態様では、本開示の実施例に係る、端末に適用される制御方法は、
第３の情報を取得するステップと、
前記第３の情報に基づいて、端末能力識別の関連情報を送信するステップと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む。
【００１０】
第６の態様では、本開示の実施例に係る、ネットワーク側ネットワーク要素に適用される制御方法は、
第２の情報を取得するステップと、
前記第２の情報に基づいて、第３の情報を送信するステップと、を含み、
前記第２の情報が、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む。
【００１１】
第７の態様では、本開示の実施例に係る端末は、
端末が能力シグナリングの最適化をサポートするか否かの指示情報と、端末の能力シグナリングの最適化能力と、のうちの少なくとも１つを含む第１の情報を送信する第１の送信モジュールを含む。
【００１２】
第８の態様では、本開示の実施例に係る端末は、
第１の指示情報を受信する第１の受信モジュールと、
前記第１の指示情報に基づいて、端末能力識別の関連情報と第１の情報のうちの少なくとも１つを送信する第２の送信モジュールと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む。
【００１３】
第９の態様では、本開示の実施例に係るネットワーク側ネットワーク要素は、
端末が能力シグナリングの最適化をサポートするか否かの指示情報と、端末の能力シグナリングの最適化能力と、のうちの少なくとも１つを含む第１の情報を取得する第１の取得モジュールと、
前記第１の情報に基づいて、端末能力シグナリングの最適化の動作を実行する実行モジュールと、を含む。
【００１４】
第１０の態様では、本開示の実施例に係るネットワーク側ネットワーク要素は、
端末能力識別の関連情報を取得する応答情報を受信する第２の受信モジュールと、
端末能力識別の関連情報を取得する前記応答情報に基づいて、前記端末が能力シグナリングの最適化をサポートするか否か、又は能力シグナリングの最適化能力を有するか否かを決定する決定モジュールと、を含む。
【００１５】
第１１の態様では、本開示の実施例に係る端末は、
第３の情報を取得する第２の取得モジュールと、
前記第３の情報に基づいて、端末能力識別の関連情報を送信する第３の送信モジュールと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む。
【００１６】
第１２の態様では、本開示の実施例に係るネットワーク側ネットワーク要素は、
第２の情報を取得する第３の取得モジュールと、
前記第２の情報に基づいて、第３の情報を送信する第４の送信モジュールと、を含み、
前記第２の情報が、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む。
【００１７】
第１３の態様では、本開示の実施例に係る通信装置は、メモリと、プロセッサと、前記メモリに記憶されて前記プロセッサ上で動作可能なコンピュータプログラムとを含み、前記コンピュータプログラムが前記プロセッサによって実行されると、端末に適用される制御方法の上記ステップ、又はネットワーク側ネットワーク要素に適用される制御方法の上記ステップを実現することができる。好ましくは、該通信装置は、端末又はネットワーク側ネットワーク要素であってよい。
【００１８】
第１４の態様では、本開示の実施例に係るコンピュータ可読記憶媒体には、プロセッサによって実行されると、端末に適用される制御方法の上記ステップ、又はネットワーク側ネットワーク要素に適用される制御方法の上記ステップを実現することができるコンピュータプログラムが記憶されている。
【発明の効果】
【００１９】
理解できるように、本開示の実施例では、ネットワーク側ネットワーク要素が、端末が能力シグナリングの最適化をサポートするか否かを知ることができるようにすることにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【００２０】
本開示の実施例の技術手段をより明確に説明するために、以下、本開示の実施例に必要な図面を簡単に説明し、明らかに、以下に説明される図面は、本開示のいくつかの実施例にすぎず、当業者であれば、創造的な労働をしない前提で、これらの図面に基づいて他の図面を得ることができる。
【図面の簡単な説明】
【００２１】
【図１】本開示の実施例に係る制御方法のフローチャートその１である。
【図２】本開示の実施例に係る制御方法のフローチャートその２である。
【図３】本開示の実施例に係る制御方法のフローチャートその３である。
【図４】本開示の実施例に係る制御方法のフローチャートその４である。
【図５】本開示の実施例に係る制御方法のフローチャートその５である。
【図６】本開示の実施例に係る制御方法のフローチャートその６である。
【図７】本開示の実施例に係る報告プロセスのフローチャートその１である。
【図８】本開示の実施例に係る報告プロセスのフローチャートその２である。
【図９】本開示の実施例に係る通知プロセスのフローチャートその１である。
【図１０】本開示の実施例に係る通知プロセスのフローチャートその２である。
【図１１】本開示の実施例に係る端末の概略構成図その１である。
【図１２】本開示の実施例に係る端末の概略構成図その２である。
【図１３】本開示の実施例に係るネットワーク側ネットワーク要素の概略構成図その１である。
【図１４】本開示の実施例に係るネットワーク側ネットワーク要素の概略構成図その２である。
【図１５】本開示の実施例に係る端末の概略構成図その３である。
【図１６】本開示の実施例に係るネットワーク側ネットワーク要素の概略構成図その３である。
【図１７】本開示の実施例に係る端末の概略構成図その４である。
【図１８】本開示の実施例に係るネットワーク側ネットワーク要素の概略構成図その４である。
【発明を実施するための形態】
【００２２】
まず、端末の能力は、無線能力とコアネットワーク能力という二種類に分類することができる。無線能力については、端末は、ネットワークの要求に応じて端末の無線能力を報告することができる。ネットワーク能力については、端末は、登録時に端末のネットワーク能力を報告することができる。
【００２３】
端末は、複数の周波数帯域（Ｂａｎｄ）と周波数（ｆｒｅｑｕｅｎｃｙ）をサポートすることができる。キャリアアグリゲーション（Ｃａｒｒｉｅｒ  Ａｇｇｒｅｇａｔｉｏｎ、ＣＡ）及びデュアルコネクティビティ（Ｄｕａｌ  Ｃｏｎｎｅｃｔｉｖｉｔｙ、ＤＣ）などの技術の導入に伴い、様々な可能な周波数帯域の組合せを並べて組み合わせる必要があり、また、各端末メーカーがサポートする周波数帯域の組合せが異なる可能性があるため、無線能力が特に大きくなる。また、ネットワークの進化に伴い、ますます多くの特性がネットワークに導入され、異なる特性が異なる無線能力とネットワーク能力を必要とする場合が多い。関連するネットワーク特性については、端末は、サポートするか否かの情報をネットワークに通知する必要がある。
【００２４】
一般的に、出荷される各端末には、いずれも、国際移動体装置識別番号（Ｉｎｔｅｒｎａｔｉｏｎａｌ  Ｍｏｂｉｌｅ  Ｅｑｕｉｐｍｅｎｔ  Ｉｄｅｎｔｉｔｙ、ＩＭＥＩ）などの装置識別情報がある。ＩＭＥＩには、一般的に８桁（初期に６桁）の数字で構成され、端末ブランド及び機種を区別するコードであり、ＧＳＭＡ及びその認可機構により割り当てられるタイプ割り当てコード（Ｔｙｐｅ  Ａｌｌｏｃａｔｉｏｎ  Ｃｏｄｅ、ＴＡＣ）が含まれてよい。該ＴＡＣの先頭の２桁は、割り当て機構識別子（Ｒｅｐｏｒｔｉｎｇ  Ｂｏｄｙ  Ｉｄｅｎｔｉｆｉｅｒ）とも呼ばれ、ＩＭＥＩ割り当て機構を許可するコードであり、例えば０１は米国ＣＴＩＡであり、３５は英国ＢＡＢＴであり、８６は中国ＴＡＦである。ＴＡＣにより、同一の端末機種を一意に識別することができる。同一の端末機種の端末能力は常に同じである。
【００２５】
ＩＭＥＩには、同一の機種の端末が出荷される場合に使用される異なるソフトウェアバージョンを区別できるソフトウェアバージョン番号（Ｓｏｆｔｗａｒｅ  Ｖｅｒｓｉｏｎ  Ｎｕｍｂｅｒ、ＳＶＮ）が含まれてもよい。ＳＶＮは、一部のブランドの一部の機種のみに存在する。異なるＳＶＮは、異なる端末能力に対応することができる。
【００２６】
端末能力報告によるオーバーヘッドを低減するために、端末能力を指示できる識別情報を端末に設定することができる。端末能力シグナリングを最適化する方法は、端末が端末能力を指示する識別情報のみをネットワークに報告する。ネットワークは、端末能力を指示する識別情報に基づいてマッピングにより端末能力を取得することができる。端末能力識別情報は、端末能力を指示する能力識別情報であってよい。
【００２７】
しかしながら、端末が常にネットワークにアクセスした後に端末能力識別情報を報告すれば、端末は、ネットワークが能力シグナリングの最適化をサポートするか否かを知らず、以下の問題１が存在する可能性がある。
【００２８】
問題１：無線アクセスネットワーク（Ｒａｄｉｏ  Ａｃｃｅｓｓ  Ｎｅｔｗｏｒｋ、ＲＡＮ）ネットワーク要素とコアネットワーク（Ｃｏｒｅ  Ｎｅｔｗｏｒｋ、ＣＮ）ネットワーク要素は、全て能力シグナリングの最適化機能をサポートしない可能性があり、端末は、ＲＡＮネットワーク要素又はＣＮネットワーク要素が能力シグナリングの最適化をサポートするか否かを把握しない。
【００２９】
端末がネットワークにアクセスするたびに能力識別情報を報告する必要があれば、一定のオーバーヘッドをもたらすため、ネットワークからの要求後に報告することができ、オーバーヘッドを節約し、能力シグナリングをさらに最適化することができる。しかしながら、ネットワークは端末能力識別情報を取得する場合に、端末が能力シグナリングの最適化をサポートするか否かを知らず、以下の問題１〜問題３が存在する可能性がある。
【００３０】
問題１：端末の能力シグナリング最適化機能（例えば、能力シグナリング最適化と呼ばれる）は、選択可能な特徴であり、ネットワークは、現在の端末がこの能力シグナリングの最適化機能をサポートするか否かを把握しない。
【００３１】
問題２：端末がいくつかの特別なシーンでは、例えば、ネットワーク試験の際に、いくつかの端末能力を動的にオフにする可能性がある。このとき、それに応じて能力識別情報を動的に変更すれば、頻繁に報告を変更することになり、ネットワークは、さらに変更後の能力識別情報によりマッピングされた端末能力を端末から取得し、大量のシグナリングオーバーヘッドをもたらす。能力識別情報を変更しなければ、該能力識別情報と端末能力との間は１対１のマッピング関係ではない。したがって、いくつかのシーンでは、能力シグナリングの最適化機能をサポートする端末に対して、該シグナリングの最適化機能能力をオフにすることができる。しかしながら、現在、シグナリングの最適化機能能力の変更をサポートしていない。
【００３２】
問題３：ソース基地局が能力シグナリングの最適化機能をサポートしていない場合、端末がソース基地局からターゲット基地局に切り替われば、ターゲット基地局は、端末が能力シグナリングの最適化機能をサポートするか否かを知らず、端末の能力識別情報を取得できるか否かを把握しない。
【００３３】
本開示の実施例では、端末能力識別情報は、端末能力を識別することができる。端末能力識別情報と端末能力情報との間にはマッピング関係があり、端末能力識別情報により端末能力をマッピングすることができる。端末能力識別情報は、一組の端末能力又は完全な端末能力をマッピングすることができる。端末能力識別情報の大きさが端末能力より小さいため、オーバーヘッドを節約し、能力シグナリングを最適化するという効果を達成することができる。
【００３４】
好ましくは、１つの端末は、１つ以上の端末能力識別情報を有してよい。
【００３５】
本開示の実施例では、サービスネットワークは、端末にアクセスを提供するネットワークであり、オペレータのネットワークであってもよく、専用ネットワークであってもよく、公衆通信ネットワークであってもよく、プライベート通信ネットワークであってもよい。好ましくは、サービスネットワークの識別子は、ＰＬＭＮ又は他の識別子（例えばプライベート通信ネットワーク自体により設定される識別子）であってもよい。
【００３６】
本開示の実施例では、ネットワークタイプは、通信ネットワークタイプ、無線アクセス技術のタイプ、無線アクセスネットワークのタイプ及びネットワーク世代のうちの少なくとも１つを含んでよいが、これらに限定されない。
【００３７】
好ましくは、通信ネットワークタイプは、ＧＳＭ、ＥＤＧＥ、ＧＰＲＳ、ＧＳＭ−ＣＳ、ＧＳＭ−ＰＳ、ＣＳ、ＰＳ、ＣＤＭＡ、３ＧＰＰ２  １ｘＣＳ、ＥＰＳ及び５ＧＳのうちの少なくとも１つを含んでよいが、これらに限定されない。
【００３８】
好ましくは、無線アクセス技術のタイプは、ＧＥＲＡＮ、ＧＥＲＡＮ−ＣＳ、ＧＥＲＡＮ−ＰＳ、ＥＤＧＥ、ＵＴＲＡ、ＴＤ−ＳＣＤＭＡ、ＷＣＤＭＡ、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００３９】
好ましくは、無線アクセスネットワークのタイプは、ＧＥＲＡＮ、ＧＥＲＡＮ−ＣＳ、ＧＥＲＡＮ−ＰＳ、ＥＤＧＥ、ＵＴＲＡＮ、ＴＤ−ＳＣＤＭＡ、ＷＣＤＭＡ、ＨＳＰＡ、ＣＤＭＡ、ＣＤＭＡ  ２０００、３ＧＰＰ２  １ｘＣＳ、ｃｄｍａ２０００−１ＸＲＴＴ、ＥＵＴＲＡＮ、ＬＴＥ  ＦＤＤ、ＬＴＥ  ＴＤＤ、３ＧＰＰ、Ｎ３ＧＰＰ、３ＧＰＰ２、ＷＬＡＮ、ＮＢ  ＩＯＴ、ＮＧ  ＲＡＮ、ＥＵＴＲＡ−ＮＲ及びＮＲのうちの少なくとも１つを含んでよいが、これらに限定されない。
【００４０】
好ましくは、ネットワーク世代は、２Ｇネットワーク、３Ｇネットワーク、４Ｇネットワーク及び５Ｇネットワークのうちの少なくとも１つを含んでよいが、これらに限定されない。
【００４１】
本開示の実施例では、端末能力は、端末コアネットワーク能力及び端末無線能力のうちの少なくとも１つを含んでよい。端末コアネットワーク能力は、端末ネットワーク能力、非アクセスネットワーク（ＮＡＳ）能力と呼ばれてよい。
【００４２】
好ましくは、端末無線能力は、キャリアアグリゲーションＣＡ能力及びデュアルコネクティビティＤＣ能力のうちの少なくとも１つを含んでよい。
【００４３】
好ましくは、端末コアネットワーク能力は、５Ｇセッション管理能力、５Ｇモビリティ管理能力、ユーザ端末ネットワーク能力（ＵＥ  Ｎｅｔｗｏｒｋ  ｃａｐａｂｉｌｉｔｙ）及び移動局ネットワーク能力（ＭＳ  Ｎｅｔｗｏｒｋ  ｃａｐａｂｉｌｉｔｙ）などのうちの少なくとも１つを含んでよい。
【００４４】
好ましくは、端末ネットワークコアネットワーク能力は、５Ｇネットワーク能力、４Ｇネットワーク能力（例えば、ＵＥ  Ｎｅｔｗｏｒｋ  ｃａｐａｂｉｌｉｔｙ）及び３Ｇネットワーク能力（例えば、ＭＳ  Ｎｅｔｗｏｒｋ  ｃａｐａｂｉｌｉｔｙ）などのうちの少なくとも１つを含んでよい。
【００４５】
本開示の実施例では、「能力」と「端末能力」とは、同じ意味を表すことができ、混用してもよい。
【００４６】
本開示の実施例では、「能力識別情報」と「端末能力の識別情報」とは、同じ意味を表すことができ、混用してもよい。
【００４７】
本開示の実施例では、「カード」は、ＵＩＣＣ（Ｕｎｉｖｅｒｓａｌ  Ｉｎｔｅｇｒａｔｅｄ  Ｃｉｒｃｕｉｔ  Ｃａｒｄ）、ＳＩＭ（Ｓｕｂｓｃｒｉｂｅｒ  Ｉｄｅｎｔｉｔｙ  Ｍｏｄｕｌｅ）、ｅＳＩＭ、及びｅＵＩＣＣであってよいが、これらに限定されない。カードは、エンティティカードであってよい。さらに、第Ｎのカードは、サービスネットワークのカードを第Ｎのカードスロットに設置することを表すことができる。メインカードは、サービスネットワークのカードをメインカードスロットに設置することを表すことができ、サブカードは、サービスネットワークのカードをメインカードスロットに設置することを表すことができる。カード位置情報は、カードスロット情報と呼ばれてよい。
【００４８】
カードは、電子カードであってもよい。サービスネットワークは、端末に複数のカードを設定することができる。
【００４９】
本開示の実施例では、端末能力シグナリングの最適化は、無線能力シグナリングの最適化及び非アクセス層能力シグナリングの最適化を含んでよい。好ましくは、無線能力シグナリングの最適化は、ｏｐｔｉｍｉｚａｔｉｏｎｓ  ｏｎ  ＵＥ  ｒａｄｉｏ  ｃａｐａｂｉｌｉｔｙ  ｓｉｇｎａｌｉｎｇと呼ばれ、ＲＡＣＳと略称してもよい。しかしながら、標準組織は、他の命名をしている可能性があり、本開示の実施例は該命名の影響を受けない。
【００５０】
本開示の実施例では、好ましくは、能力シグナリングの最適化をサポートするか否かは、能力シグナリングの最適化能力を有するか否かということであってよい。
【００５１】
好ましくは、能力シグナリングの最適化をサポートすることは、能力シグナリングを最適化できること、能力シグナリングの最適化能力を有すること、又は能力シグナリングの最適化をオンにすることであってもよい。
【００５２】
好ましくは、能力シグナリングの最適化をサポートしないことは、能力シグナリングを最適化できないこと、能力シグナリングの最適化能力を有さないこと、又は能力シグナリングの最適化をオフにすることであってもよい。
【００５３】
好ましくは、取得は、設定により取得すること、受信により取得すること、要求後に受信により取得すること、又は受信した情報に基づいて処理した後に取得することであると理解されてよく、具体的には、実際の必要に応じて決定することができ、本開示の実施例にはこれを限定しない。
【００５４】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得られる他の全ての実施例は、いずれも本開示の保護範囲に属するものである。
【００５５】
本開示の実施例では、ネットワーク要素は、エンティティ装置、ネットワーク機能エンティティ及びネットワークユニットのうちの１つであってよい。
【００５６】
本開示の実施例では、コアネットワーク要素（ＣＮネットワーク要素）は、コアネットワーク装置、コアネットワークノード、コアネットワーク機能、コアネットワークのネットワーク要素、モビリティ管理エンティティ（Ｍｏｂｉｌｉｔｙ  Ｍａｎａｇｅｍｅｎｔ  Ｅｎｔｉｔｙ、ＭＭＥ）、アクセスモビリティ管理機能（Ａｃｃｅｓｓ  Ｍａｎａｇｅｍｅｎｔ  Ｆｕｎｃｔｉｏｎ、ＡＭＦ）、セッション管理機能（Ｓｅｓｓｉｏｎ  Ｍａｎａｇｅｍｅｎｔ  Ｆｕｎｃｔｉｏｎ、ＳＭＦ）、ユーザプレーン機能（Ｕｓｅｒ  Ｐｌａｎｅ  Ｆｕｎｃｔｉｏｎ、ＵＰＦ）、サービスゲートウェイ（ｓｅｒｖｉｎｇ  ＧＷ、ＳＧＷ）、ＰＤＮゲートウェイ（ＰＤＮ  Ｇａｔｅ  Ｗａｙ、ＰＤＮゲートウェイ）、ポリシー制御機能（Ｐｏｌｉｃｙ  Ｃｏｎｔｒｏｌ  Ｆｕｎｃｔｉｏｎ、ＰＣＦ）、ポリシー及び課金ルール機能ユニット（Ｐｏｌｉｃｙ  ａｎｄ  Ｃｈａｒｇｉｎｇ  Ｒｕｌｅｓｓ  Ｆｕｎｃｔｉｏｎ、ＰＣＲＦ）、ＧＰＲＳサービスサポートノード（Ｓｅｒｖｉｎｇ  ＧＰＲＳ  Ｓｕｐｐｏｒｔ  Ｎｏｄｅ、ＳＧＳＮ）、ゲートウェイＧＰＲＳサポートノード（Ｇａｔｅｗａｙ  ＧＰＲＳ  Ｓｕｐｐｏｒｔ  Ｎｏｄｅ、ＧＧＳＮ）及び無線アクセスネットワーク装置のうちの少なくとも１つを含んでよいが、これらに限定されない。
【００５７】
本開示の実施例では、無線アクセスネットワークのネットワーク要素（ＲＡＮネットワーク要素）は、無線アクセスネットワーク装置、無線アクセスネットワークノード、無線アクセスネットワーク機能、無線アクセスネットワークユニット、３ＧＰＰ無線アクセスネットワーク、非３ＧＰＰ無線アクセスネットワーク、集約ユニット（Ｃｅｎｔｒａｌｉｚｅｄ  Ｕｎｉｔ、ＣＵ）、分散ユニット（Ｄｉｓｔｒｉｂｕｔｅｄ  Ｕｎｉｔ、ＤＵ）、基地局、進化型基地局（ｅｖｏｌｖｅｄ  Ｎｏｄｅ  Ｂ、ｅＮＢ）、５Ｇ基地局（ｇＮＢ）、無線ネットワークコントローラ（Ｒａｄｉｏ  Ｎｅｔｗｏｒｋ  Ｃｏｎｔｒｏｌｌｅｒ、ＲＮＣ）、基地局（ＮｏｄｅＢ）、非３ＧＰＰインターワーキング機能（Ｎｏｎ−３ＧＰＰ  Ｉｎｔｅｒ  Ｗｏｒｋｉｎｇ  Ｆｕｎｃｔｉｏｎ、Ｎ３ＩＷＦ）、アクセス制御（Ａｃｃｅｓｓ  Ｃｏｎｔｒｏｌｌｅｒ、ＡＣ）ノード、アクセスポイント（Ａｃｃｅｓｓ  Ｐｏｉｎｔ、ＡＰ）装置又は無線ローカルエリアネットワーク（Ｗｉｒｅｌｅｓｓ  Ｌｏｃａｌ  Ａｒｅａ  Ｎｅｔｗｏｒｋｓ、ＷＬＡＮ）ノードのうちの少なくとも１つを含んでよいが、これらに限定されない。
【００５８】
基地局は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）又はＣｏｄｅ  Ｄｉｖｉｓｉｏｎ  Ｍｕｌｔｉｐｌｅ  Ａｃｃｅｓｓ（ＣＤＭＡ）における基地局（ＢＴＳ、Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、ＬＴＥにおける進化型基地局（ｅＮＢ又はｅ−ＮｏｄｅＢ、ｅｖｏｌｕｔｉｏｎａｌ  ＮｏｄｅＢ）及び５Ｇ基地局（ｇＮＢ）であってもよく、本開示の実施例では限定されない。
【００５９】
本開示の実施例では、ネットワーク側ネットワーク要素は、ＣＮネットワーク要素とＲＡＮネットワーク要素との少なくとも１つを含んでよい。
【００６０】
本開示の実施例では、端末は、端末機能をサポートするリピータを含んでよい。端末は、端末装置又はユーザ端末（Ｕｓｅｒ  Ｅｑｕｉｐｍｅｎｔ、ＵＥ）と呼ばれてよく、端末は、携帯電話、タブレットコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）又は車載装置などの端末側装置であってよく、なお、本開示の実施例では、端末の具体的なタイプを限定しない。
【００６１】
なお、本開示の実施例では、端末の能力シグナリングの最適化能力と他の端末能力は独立して定義された能力セル（ＩＥ）である。端末がこの能力シグナリングの最適化能力を報告することにより、ネットワークは、この能力シグナリングの最適化能力に基づいて能力識別情報を割り当てるか否かを決定するか、又は端末から能力識別情報を取得するか否かを決定することができる。
【００６２】
端末の報告方式については、端末は、能動的に報告してよく、ネットワークは、端末が能力シグナリングの最適化をサポートするか否かを指示する。端末は、ネットワークからの要求後に報告してもよく、ネットワークは、端末が能力シグナリングの最適化をサポートするか否かに応じて、端末から能力識別情報を取得するか否かを決定する。端末が能力シグナリングの最適化機能をオフにした後、ネットワークは、端末の能力シグナリングの最適化能力情報を更新し、端末の能力識別情報を削除するか又はサスペンドし、かつ他のネットワーク要素に同期させることができる。
【００６３】
図１に示すように、本開示の実施例に係る、端末（端末能力を有するリピータを含む）に適用される制御方法は、以下のステップ１０１を含んでよい。
【００６４】
ステップ１０１では、端末が能力シグナリングの最適化をサポートするか否かの指示情報と、端末の能力シグナリングの最適化能力と、のうちの少なくとも１つを含む第１の情報を送信する。
理解できるように、該端末が能力シグナリングの最適化をサポートするか否かの指示情報は、具体的には、端末が能力シグナリングの最適化をサポートするか否かを指示する情報である。端末が能力シグナリングの最適化をサポートするか否かの指示情報は、端末が能力シグナリングの最適化能力を有するか否かとして具現化することができる。
【００６５】
なお、端末が第１の情報を送信する場合に、該第１の情報をネットワーク側ネットワーク要素、例えばＲＡＮネットワーク要素及び／又はＣＮネットワーク要素に送信することにより、ネットワーク側ネットワーク要素は、端末が能力シグナリングの最適化をサポートするか否かを知ることができる。端末は、第１の情報を送信する場合に、能動的に送信してもよく、例えば、ネットワークにアクセスするときに能動的に送信するか又はネットワークからの要求後に送信してもよい。
【００６６】
好ましくは、ステップ１０１は、
端末が所定の条件を満たす場合に、第１の情報を送信することを含んでよく、該所定の条件が、
端末が能力シグナリングの最適化をサポートすること、端末が能力シグナリングの最適化をサポートすることから能力シグナリングの最適化をサポートしないことに変更すること、端末が能力シグナリングの最適化をサポートしないことから能力シグナリングの最適化をサポートすることに変更すること、端末が能力シグナリングの最適化能力を有すること、端末の能力シグナリングの最適化能力の変更、端末が能力シグナリングの最適化能力を取得する要求情報を受信すること、端末の能力シグナリングの最適化能力がオンになること、及び端末の能力シグナリングの最適化能力がオフになること、のうちの少なくとも１つを含んでよい。
【００６７】
一実施形態では、端末は、ＣＮネットワーク要素、ＲＡＮネットワーク要素、ＡＭＦ、ＭＭＥ、及び能力管理機能のうちの少なくとも１つに第１の情報を送信することができる。
【００６８】
理解できるように、本開示の実施例では、第１の情報を送信して、ネットワーク側ネットワーク要素が、端末が能力シグナリングの最適化をサポートするか否かを知ることができるようにすることにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【００６９】
本開示の実施例では、端末が能力を報告する場合に、上記図１の実施例で説明したような能動的な報告に加えて、以下の図２の実施例で説明したように、ネットワーク要求に基づいて報告することができる。
【００７０】
図２に示すように、本開示の実施例に係る、端末（端末能力を有するリピータを含む）に適用される制御方法は、以下のステップ２０１〜ステップ２０２を含んでよい。
【００７１】
ステップ２０１では、端末能力識別の関連情報の取得を要求する第１の指示情報を受信する。
【００７２】
一実施形態では、端末は、ＣＮネットワーク要素、ＲＡＮネットワーク要素、ＡＭＦ、ＭＭＥ、及び能力管理機能のうちの少なくとも１つから第１の指示情報を送信することができる。
【００７３】
ステップ２０２では、上記第１の指示情報に基づいて、端末能力識別の関連情報と第１の情報のうちの少なくとも１つを送信する。
【００７４】
該第１の情報は、端末が能力シグナリングの最適化をサポートするか否かの指示情報と、端末の能力シグナリングの最適化能力と、のうちの少なくとも１つを含む。理解できるように、該端末が能力シグナリングの最適化をサポートするか否かの指示情報は、具体的には、端末が能力シグナリングの最適化をサポートするか否かを指示する情報である。
【００７５】
本開示の実施例では、好ましくは、該第１の指示情報は、
能力識別情報を取得するか否かの指示情報と、能力識別情報のタイプ情報と、能力識別情報及び端末能力情報を取得するか否かの指示情報と、端末能力情報を取得するか否かの指示情報と、のうちの少なくとも１つを含んでよい。
【００７６】
さらに、該能力識別情報のタイプ情報は、能力識別情報に対応するカードスロット情報と、能力識別情報に対応するカード情報と、能力識別情報に対応するサービスネットワーク情報と、能力識別情報のネットワークタイプ情報と、のうちの少なくとも１つを含んでよい。
【００７７】
さらに、該能力識別情報に対応するカードスロット情報は、カードスロットの識別情報と、カードスロットの番号と、第１のカードスロットの情報と、第２のカードスロットの情報と、メインカードスロット又はサブカードスロットの指示情報と、能力が全てのカードスロットに適用されるか否かの指示情報と、能力がカードスロットを区別しないか否かの指示情報と、のうちの少なくとも１つを含んでよい。
【００７８】
理解できるように、具体的に実現する場合に、第１のカードスロットは、端末のメインカードに対応するカードスロットであってよく、第２のカードスロットは、端末のサブカードに対応するカードスロットであってよい。一実施形態では、端末のカードスロット情報は、メインカードのカードスロット情報とサブカードのカードスロット情報とにさらに区別されてよい。理解されるように、能力に対応するカードスロット情報により、ネットワークが端末の対応するカードスロットにおける対応する端末能力をマッピングすることを支援することができる。
【００７９】
さらに、能力識別情報に対応するカード情報は、カードの番号と、カードの所在するカードスロットの番号と、メインカード又はサブカードの指示情報と、能力が全てのカードに適用されるか否かの指示情報と、能力がカードを区別しないか否かの指示情報と、のうちの少なくとも１つを含んでよい。理解されるように、能力識別情報に対応するカード情報により、ネットワークが端末の対応するカードにおける対応する端末能力をマッピングすることを支援することができる。
【００８０】
さらに、該能力識別情報に対応するサービスネットワーク情報は、サービスネットワークのネットワーク識別情報と、能力識別情報が全てのサービスネットワークに適用されるか否かの指示情報と、能力識別情報がサービスネットワークを区別しないか否かの指示情報と、のうちの少なくとも１つを含んでよい。さらに、ネットワーク識別情報は、公衆通信ネットワーク識別子（例えば、ＰＬＭＮ）と、プライベート通信ネットワーク識別子（例えば、ＴｙｐｅＡネットワーク識別子、ＴｙｐｅＢネットワーク識別子）を含んでよい。
【００８１】
理解されるように、ネットワーク識別情報により、ネットワークが端末の異なるネットワークにおけるそれぞれ対応する端末能力をマッピングすることを支援することができる。例えば、同一の端末に対して、ローミング場合とホームネットワークにアクセスする場合に、端末能力は異なってよい。同一の機種の異なる端末に対して、同一のネットワークにアクセスし、１つの端末がローミングし、別の端末がホームネットワークにアクセスする場合に、端末能力は同じであってよい。また、例えば、無線アクセスネットワークが複数のオペレータのネットワークに共有される場合に、無線アクセスネットワークは、ネットワーク識別情報に基づいて端末がアクセスするネットワーク能力を知ることができる。さらに、例えば、等価ネットワークである場合に、端末のネットワーク識別情報（例えば、ＰＬＭＮ）が変更されると、異なる端末能力をマッピングすることができる。
【００８２】
さらに、能力識別情報に対応するネットワークタイプ情報は、ネットワークタイプと、能力が全てのネットワークタイプに適用されるか否かの指示情報と、能力がネットワークタイプを区別しないか否かの指示情報と、のうちの少なくとも１つを含んでよい。ネットワークタイプ情報は、端末が現在サポートするネットワークタイプの能力を指示するか、又は端末がサポートしないネットワークタイプの能力を指示することができる。
【００８３】
理解されるように、ネットワークタイプ情報により、ネットワークは、端末の異なるネットワークタイプにおける端末能力をマッピングすることができる。例えば、同一の機種の異なる端末に対して、１つの端末は、データ優先（ｄａｔａ  ｃｅｎｔｒｉｃ）であり、５Ｇネットワーク能力をオンにすることができ、別の端末は、音声優先（ｖｏｉｃｅ  ｃｅｎｔｒｉｃ）であり、５Ｇネットワークが音声をサポートしないことを確認する場合、５Ｇネットワーク能力をオフにする可能性がある。
【００８４】
本開示の実施例では、好ましくは、端末能力識別の関連情報は、
端末能力識別情報と、能力識別情報のタイプ情報と、能力識別情報によりマッピングされた端末能力情報と、のうちの少なくとも１つを含んでよい。一実施形態では、能力識別情報のタイプ情報は、能力識別情報の適用範囲情報として具現化されてもよい。
【００８５】
端末能力識別情報は、
端末機種情報と、能力指示補助情報と、端末能力識別子と、のうちの少なくとも１つを含んでよい。本開示の他の実施例では、好ましくは、ステップ２０２における第１の指示情報に基づいて、端末能力識別の関連情報を送信するステップは、
能力識別情報を取得するか否かの上記指示情報が能力識別情報を取得することを指示する場合、端末能力識別情報、及び／又は、端末能力識別情報によりマッピングされた端末能力を送信するステップと、
能力識別情報を取得するか否かの上記指示情報が能力識別情報を取得しないことを指示する場合、端末能力情報を送信するステップと、
能力識別情報及び端末能力情報を取得するか否かの上記指示情報が能力識別情報及び端末能力情報を取得することを指示する場合、端末能力識別情報、及び／又は、端末能力情報を送信するステップと、
上記能力識別情報のタイプ情報に基づいて、上記能力識別情報のタイプ情報に対応する端末能力識別情報を送信するステップと、
端末能力情報を取得するか否かの上記指示情報が端末能力情報を取得することを指示する場合、端末能力情報、及び／又は、上記端末能力情報によりマッピングされた端末能力識別情報を送信するステップと、のうちの少なくとも１つを含んでよい。
【００８６】
理解できるように、本開示の実施例では、ネットワーク要求に基づいて端末能力識別の関連情報及び／又は第１の情報を送信して、ネットワーク側ネットワーク要素が、端末が能力シグナリングの最適化をサポートするか否かを知ることができるようにすることにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【００８７】
図３に示すように、本開示の実施例に係る、ネットワーク側ネットワーク要素に適用される制御方法は、以下のステップ３０１〜３０２を含んでよい。
【００８８】
ステップ３０１では、端末が能力シグナリングの最適化をサポートするか否かの指示情報と、端末の能力シグナリングの最適化能力と、のうちの少なくとも１つを含む第１の情報を取得する。
一実施形態では、該ネットワーク側ネットワーク要素は、ＣＮネットワーク要素、ＲＡＮネットワーク要素、ＡＭＦ、ＭＭＥ、及び能力管理機能のうちの少なくとも１つを含んでよい。
【００８９】
ステップ３０２では、第１の情報に基づいて、端末能力シグナリングの最適化の動作を実行する。
【００９０】
好ましくは、端末能力シグナリングの最適化の動作を実行する該ステップは、
端末に端末能力識別情報を割り当てるステップと、
端末能力識別の関連情報の取得を要求する第１の指示情報を、端末として選択される第１のターゲット側に送信するステップと、
端末能力識別情報を削除するか又はサスペンドするステップと、
端末に端末能力識別情報を回復するステップと、
端末能力識別の関連情報を削除するか又はサスペンドする指示情報を、端末能力識別情報を記憶したネットワーク側ネットワーク要素又は端末として選択される第２のターゲット側に送信するステップと、
上記第１の情報を、送信本体であるネットワーク側ネットワーク要素とは異なる他のネットワーク側ネットワーク要素として選択される第３のターゲット側に送信するステップと、のうちの少なくとも１つを含んでよい。
【００９１】
さらに、好ましくは、端末に端末能力識別情報を割り当てる上記ステップは、
端末が第１の条件を満たす場合に、上記端末に上記端末能力識別情報を割り当てるステップを含み、
及び／又は、端末能力識別情報を取得する指示情報を第１のターゲット側に送信する上記ステップは、
端末が第１の条件を満たす場合に、端末能力識別情報を取得する上記指示情報を上記第１のターゲット側に送信するステップを含み、
及び／又は、端末能力識別情報を削除するか又はサスペンドする上記ステップは、
端末が第２の条件を満たす場合に、上記端末能力識別情報を削除するか又はサスペンドするステップを含み、
及び／又は、端末能力識別情報を削除するか又はサスペンドする指示情報を第２のターゲット側に送信する上記ステップは、
端末が第２の条件を満たす場合に、端末能力識別情報を削除するか又はサスペンドする上記指示情報を上記第２のターゲット側に送信するステップを含み、
及び／又は、端末に端末能力識別情報を回復する上記ステップは、
端末が第３の条件を満たす場合に、上記端末に上記端末能力識別情報を回復するステップを含み、
及び／又は、上記第１の情報を第３のターゲット側に送信するステップは、
端末が第４の条件を満たす場合に、上記第１の情報を上記第３のターゲット側に送信するステップを含み、
上記第１の条件が、端末が能力シグナリングの最適化をサポートすることと、端末が能力シグナリングの最適化能力を有することと、端末能力識別情報が存在しないことと、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含んでよく、
上記第２の条件が、端末の能力シグナリングの最適化能力が能力シグナリングの最適化をサポートすることから能力シグナリングの最適化をサポートしないことに変更されることと、端末の能力シグナリングの最適化能力がオフになることと、のうちの少なくとも１つを含んでよく、
上記第３の条件が、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含んでよく、
上記第４の条件が、端末が能力シグナリングの最適化をサポートすることと、端末が能力シグナリングの最適化能力を有することと、端末の能力シグナリングの最適化能力の変更と、のうちの少なくとも１つを含んでよい。
【００９２】
理解できるように、本開示の実施例では、ネットワーク側ネットワーク要素は、取得された第１の情報に基づいて、端末能力シグナリングの最適化の動作を実行することにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【００９３】
図４に示すように、本開示の実施例に係る、ネットワーク側ネットワーク要素に適用される制御方法は、以下のステップ４０１〜４０２を含んでよい。
【００９４】
ステップ４０１では、端末能力識別の関連情報を取得する応答情報を受信する。
【００９５】
一実施形態では、該ネットワーク側ネットワーク要素は、ＣＮネットワーク要素、ＲＡＮネットワーク要素、ＡＭＦ、ＭＭＥ、及び能力管理機能のうちの少なくとも１つを含んでよい。
【００９６】
一実施形態では、該ネットワーク側ネットワーク要素は、ソース端から端末能力識別の関連情報を取得する応答情報を受信することができる。ネットワーク側ネットワーク要素がＣＮネットワーク要素である場合、該ソース端は、ＲＡＮネットワーク要素と端末とのうちの少なくとも１つであってよい。ネットワーク側ネットワーク要素がＲＡＮネットワーク要素である場合、該ソース端は、端末とＣＮネットワーク要素とのうちの少なくとも１つであってよい。
【００９７】
ステップ４０２では、端末能力識別の関連情報を取得する上記応答情報に基づいて、端末が能力シグナリングの最適化をサポートするか否か、又は能力シグナリングの最適化能力を有するか否かを決定する。
【００９８】
好ましくは、端末能力識別の関連情報を取得する該応答情報は、端末能力識別情報と端末能力情報のうちの少なくとも１つを含んでよい。
【００９９】
端末能力識別情報は、
端末機種情報と、能力指示補助情報と、端末能力識別子と、のうちの少なくとも１つを含んでよい。
【０１００】
好ましくは、ステップ４０１の前に、上記方法は、
端末能力識別の関連情報を取得する要求情報を送信することをさらに含んでよい。
【０１０１】
好ましくは、ステップ４０２における端末が能力シグナリングの最適化をサポートするか否か、又は能力シグナリングの最適化能力を有するか否かを決定するステップは、
端末能力識別の関連情報を取得する上記応答情報には端末能力識別情報が含まれる場合に、上記端末が能力シグナリングの最適化をサポートするか、又は能力シグナリングの最適化能力を有することを決定するステップ、
或いは、端末能力識別の関連情報を取得する上記応答情報には端末能力識別情報が含まれない場合に、上記端末が能力シグナリングの最適化をサポートしないか、又は能力シグナリングの最適化能力を有さないことを決定するステップ、を含んでよい。
【０１０２】
例えば、一実施形態では、ＲＡＮネットワーク要素が端末に端末識別子ＩＤを返すように要求すると仮定すると、端末が端末能力情報を返せば、端末が能力シグナリングの最適化をサポートしないことを意味し、端末が端末ＩＤを返せば、端末が能力シグナリングの最適化をサポートすることを意味する。
【０１０３】
別の実施形態では、端末が能力シグナリングの最適化をサポートすれば、要求に応じて報告することができ、端末が能力シグナリングの最適化をサポートしなければ、要求を無視して、端末能力情報を直接報告することができる。
【０１０４】
理解できるように、本開示の実施例では、端末の応答情報に基づいて、端末が能力シグナリングの最適化をサポートするか否かをネットワークが知ることを支援することができる。
【０１０５】
本開示の実施例では、上記端末能力を報告する方式に加えて、端末は、さらに、能力識別情報を能動的に報告することにより、端末能力の報告を実現することができる。これは、以下の実施例の記載のとおりである。
【０１０６】
図５に示すように、本開示の実施例に係る、端末（端末能力を有するリピータを含む）に適用されてよい制御方法は、以下のステップ５０１〜ステップ５０２を含んでよい。
【０１０７】
ステップ５０１では、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む第３の情報を取得する。
【０１０８】
一実施形態では、端末は、ＣＮネットワーク要素、ＲＡＮネットワーク要素、ＡＭＦ、ＭＭＥ、及び能力管理機能のうちの少なくとも１つから第３の指示情報を取得することができる。
【０１０９】
ステップ５０１における取得は、設定により取得すること、受信により取得すること、要求後に受信により取得すること、又は受信した情報に基づいて処理した後に取得することであると理解されてよく、具体的には、実際の必要に応じて決定することができ、本開示の実施例にはこれを限定しない。
【０１１０】
好ましくは、上記ネットワークが端末能力シグナリングの最適化をサポートするか否かの指示情報が、ネットワークが端末能力シグナリングの最適化をサポートすることを指示する場合、上記ネットワークが端末能力シグナリングの最適化をサポートすることは、ＲＡＮネットワーク要素が端末能力シグナリングの最適化をサポートすることと、ＣＮネットワーク要素が端末能力シグナリングの最適化をサポートすることと、ＲＡＮネットワーク要素及びＣＮネットワーク要素がいずれも端末能力シグナリングの最適化をサポートすることと、のうちのいずれか１つを含んでよい。
【０１１１】
ステップ５０２では、第３の情報に基づいて、端末能力識別の関連情報を送信する。
【０１１２】
一実施形態では、端末は、ＣＮネットワーク要素、ＲＡＮネットワーク要素、ＡＭＦ、ＭＭＥ、及び能力管理機能のうちの少なくとも１つに端末能力識別の関連情報を送信することができる。
【０１１３】
理解できるように、第３の情報が、ネットワークが端末能力シグナリングの最適化をサポートする指示情報を含む場合、端末は、端末能力識別の関連情報を報告することができる。第３の情報が、ＲＡＮネットワーク要素が端末能力シグナリングの最適化をサポートする指示情報を含む場合、端末は、必要に応じてＲＡＮネットワーク要素に端末能力識別の関連情報を報告することができる。第３の情報が、ＣＮネットワーク要素が端末能力シグナリングの最適化をサポートする指示情報を含む場合、端末は、必要に応じてＣＮネットワーク要素に端末能力識別の関連情報を報告することができる。
【０１１４】
本開示の実施例では、好ましくは、端末能力識別の関連情報は、
端末能力識別情報と、能力識別情報のタイプ情報と、能力識別情報によりマッピングされる端末能力情報と、のうちの少なくとも１つを含んでよい。一実施形態では、能力識別情報のタイプ情報は、能力識別情報の適用範囲情報として具現化されてもよい。
【０１１５】
好ましくは、該端末能力識別情報は、端末機種情報と、能力指示補助情報と、端末能力識別子と、のうちの少なくとも１つを含んでよい。
【０１１６】
一実施形態では、端末能力識別情報は、端末機種情報と能力指示補助情報とを含んでよい。
【０１１７】
一実施形態では、端末能力識別情報は、端末能力識別子を含んでよい。
【０１１８】
一実施形態では、端末能力識別情報は、端末能力識別子と能力指示補助情報とを含んでよい。このとき、能力指示補助情報は、能力識別子の適用範囲を指示することができる。
【０１１９】
好ましくは、端末機種情報は、端末メーカー識別子と、タイプ割り当てコード（例えば、ＴＡＣ）と、ソフトウェアバージョン番号（例えば、ＳＶＮ）とのうちの少なくとも１つを含んでよい。
【０１２０】
好ましくは、能力指示補助情報は、能力に対応するカードスロット情報と、能力に対応するカード情報（例えば、エンティティカードのカード情報、電子カードのカード情報）と、能力に対応するサービスネットワーク情報と、能力に対応するネットワークタイプ情報と、能力タイプ指示情報とのうちの少なくとも１つを含んでよい。
【０１２１】
さらに、能力に対応するカードスロット情報は、カードスロットの識別情報と、カードスロットの番号と、第１のカードスロットの情報と、第２のカードスロットの情報と、メインカードスロット又はサブカードスロットに対応する指示情報と、能力が全てのカードスロットに適用されるか否かの指示情報と、能力がカードスロットを区別しないか否かの指示情報と、のうちの少なくとも１つを含んでよい。理解できるように、具体的に実現する場合に、第１のカードスロットは、端末のメインカードに対応するカードスロットであってよく、第２のカードスロットは、端末のサブカードに対応するカードスロットであってよい。
【０１２２】
さらに、能力に対応するカード情報は、カードの番号と、カードの所在するカードスロットの番号と、メインカード又はサブカードの指示と、能力が全てのカードに適用されるか否かの指示情報と、能力がカードを区別しないか否かの指示情報と、のうちの少なくとも１つを含んでよい。理解されるように、能力に対応するカード情報により、ネットワークが端末の対応するカードにおける対応する端末能力をマッピングすることを支援することができる。
【０１２３】
さらに、能力に対応するサービスネットワーク情報は、サービスネットワークのネットワーク識別情報と、能力が全てのサービスネットワークに適用されるか否かの指示情報と、能力がサービスネットワークを区別しないか否かの指示情報と、のうちの少なくとも１つを含んでよい。さらに、ネットワーク識別情報は、公衆通信ネットワーク識別子（例えば、ＰＬＭＮ）と、プライベート通信ネットワーク識別子（例えば、ＴｙｐｅＡネットワーク識別子、ＴｙｐｅＢネットワーク識別子）を含んでよい。
【０１２４】
さらに、能力に対応するネットワークタイプ情報は、ネットワークタイプと、能力が全てのネットワークタイプに適用されるか否かの指示情報と、能力がネットワークタイプを区別しないか否かの指示情報と、のうちの少なくとも１つを含んでよい。ネットワークタイプ情報は、端末が現在サポートするネットワークタイプの能力を指示するか、又は端末がサポートしないネットワークタイプの能力を指示することができる。
【０１２５】
理解できるように、本開示の実施例では、第３の情報に基づいて端末能力識別の関連情報を送信することにより、端末は、ネットワークが端末能力シグナリングの最適化をサポートすることを知る場合に、報告される端末能力シグナリングを最適化することにより、完全な端末能力情報を報告することを回避し、端末能力報告によるオーバーヘッドを低減することができる。ネットワークが端末能力シグナリングの最適化をサポートしない場合に、端末は、能力識別情報を報告せず、能力識別情報の報告ポリシーを起動しないことにより、端末オーバーヘッドを節約することができる。
【０１２６】
図６に示すように、本開示の実施例に係る、ネットワーク側ネットワーク要素に適用される制御方法は、以下のステップ６０１〜６０２を含んでよい。
【０１２７】
ステップ６０１では、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む第２の情報を取得する。
【０１２８】
一実施形態では、該ネットワーク側ネットワーク要素は、ＣＮネットワーク要素、ＲＡＮネットワーク要素、ＡＭＦ、ＭＭＥ、及び能力管理機能のうちの少なくとも１つを含んでよい。
【０１２９】
一実施形態では、該ネットワーク側ネットワーク要素は、ソース端から第２の情報を受信することができる。ネットワーク側ネットワーク要素がＣＮネットワーク要素である場合、該ソース端は、ＲＡＮネットワーク要素であってよい。ネットワーク側ネットワーク要素がＲＡＮネットワーク要素である場合、該ソース端は、ＣＮネットワーク要素であってよい。
【０１３０】
このステップにおける取得は、設定により取得すること、受信により取得すること、要求後に受信により取得すること、又は受信した情報に基づいて処理した後に取得することであると理解されてよく、具体的には、実際の必要に応じて決定することができ、本開示の実施例にはこれを限定しない。
【０１３１】
ステップ６０２では、第２の情報に基づいて、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む第３の情報を送信する。
【０１３２】
理解できるように、第２の情報と第３の情報は、同じであってもよく、異なってもよい。
【０１３３】
好ましくは、上記ネットワークが端末能力シグナリングの最適化をサポートするか否かの指示情報が、ネットワークが端末能力シグナリングの最適化をサポートすることを指示する場合、上記ネットワークが端末能力シグナリングの最適化をサポートすることは、ＲＡＮネットワーク要素が端末能力シグナリングの最適化をサポートすることと、ＣＮネットワーク要素が端末能力シグナリングの最適化をサポートすることと、ＲＡＮネットワーク要素及びＣＮネットワーク要素がいずれも端末能力シグナリングの最適化をサポートすることと、のうちのいずれか１つを含んでよい。
【０１３４】
好ましくは、上記ネットワーク側ネットワーク要素がＲＡＮネットワーク要素である場合、上記ＲＡＮネットワーク要素は、ブロードキャストメッセージにより上記第３の情報を送信することができ、
或いは、上記ネットワーク側ネットワーク要素がＲＡＮネットワーク要素である場合、上記ＲＡＮネットワーク要素は、ＣＮネットワーク要素から上記ＣＮネットワーク要素が端末能力シグナリングの最適化をサポートするか否かの指示情報を取得することができ、
或いは、上記ネットワーク側ネットワーク要素がＣＮネットワーク要素である場合、上記ＣＮネットワーク要素は、端末アクセス時に上記端末に上記第３の情報を送信することができる。一実施形態では、ＣＮネットワーク要素とＲＡＮネットワーク要素がいずれも端末能力シグナリングの最適化をサポートする場合のみに、ＣＮネットワーク要素は、端末に第３の情報を送信する。
【０１３５】
理解できるように、本開示の実施例では、第３の情報を送信することにより、端末は、ネットワークが端末能力シグナリングの最適化をサポートすることを知る場合に、報告される端末能力シグナリングを最適化することにより、完全な端末能力情報を報告することを回避し、端末能力報告によるオーバーヘッドを低減することができる。ネットワークが端末能力シグナリングの最適化をサポートしない場合に、端末は、能力識別情報を報告せず、能力識別情報の報告ポリシーを起動しないことにより、端末オーバーヘッドを節約することができる。
【０１３６】
以下、図７〜図１１を参照しながら本発明のいくつかの具体的な実施例を詳細に説明する。
【０１３７】
図７に示すように、本開示の実施例は、主に端末がＣＮネットワーク要素に能力シグナリングの最適化能力を報告するプロセスを記述する。図７に示すように、対応する報告プロセスは、以下のステップ７１〜ステップ７４を含んでよい。
【０１３８】
ステップ７１では、端末は、ＲＡＮネットワーク要素によりＮＡＳメッセージ（例えば、登録要求メッセージ）をＣＮネットワーク要素に送信する。該ＮＡＳメッセージには、第１の情報が含まれてよい。
【０１３９】
理解できるように、該第１の情報は、図１の実施例に説明したとおりであってよい。
【０１４０】
例えば、本実施例では、該第１の情報は、端末が能力シグナリングの最適化をサポートすることを指示することができる。
【０１４１】
ＣＮネットワーク要素は、ＡＭＦと、ＰＣＦと、ＰＣＲＦと、ＯＡＭと、能力管理機能ネットワーク要素とのうちの少なくとも１つであってよい。ＣＮネットワーク要素は、該第１の情報に基づいて端末能力シグナリングの最適化の動作を実行することができる。
【０１４２】
ステップ７２では、ＣＮネットワーク要素がＲＡＮネットワーク要素にＮＧメッセージ又はＳ１メッセージを送信する。該ＮＧメッセージ又はＳ１メッセージには、ＮＡＳメッセージ（例えば、登録受付メッセージ）と、第１の情報とが含まれてよい。
【０１４３】
ＣＮネットワーク要素は、第１の情報に基づいて端末能力シグナリングの最適化の動作を実行することができる。図２の実施例に説明したとおりである。例えば、該第１の情報は、端末が能力シグナリングの最適化をサポートすることを含んでよい。
【０１４４】
ステップ７３では、ＲＡＮネットワーク要素が端末にＲＲＣメッセージを送信する。該ＲＲＣメッセージには、端末の登録プロセスを完了するために、登録受付メッセージが含まれてよい。
【０１４５】
ステップ７４では、端末は、ＲＡＮネットワーク要素によりＣＮネットワーク要素に登録完了メッセージを送信する。
【０１４６】
図８に示すように、本開示の実施例は、主に端末がＲＡＮネットワーク要素に能力シグナリングの最適化能力を報告するプロセスを記述する。図８に示すように、対応する報告プロセスは、以下のステップ８１〜ステップ８７を含んでよい。
【０１４７】
ステップ８１では、端末は、ＲＲＣメッセージをＲＡＮネットワーク要素に送信する。該ＲＲＣメッセージは、例えば、登録要求メッセージであってよく、第１の情報を含んでよい。
【０１４８】
理解できるように、該第１の情報は、図１の実施例に説明したとおりであってよい。
【０１４９】
例えば、本実施例では、該第１の情報は、端末が能力シグナリングの最適化をサポートすることを指示することができる。
【０１５０】
ステップ８２では、ＲＡＮネットワーク要素がＣＮネットワーク要素にＮＧメッセージ又はＳ１メッセージを送信する。該ＮＧメッセージ又はＳ１メッセージには、登録要求メッセージと、第１の情報とが含まれてよい。
【０１５１】
ＣＮネットワーク要素は、ＡＭＦと、ＰＣＦと、ＰＣＲＦと、ＯＡＭと、能力管理機能ネットワーク要素とのうちの少なくとも１つであってよい。ＣＮネットワーク要素は、該第１の情報に基づいて端末能力シグナリングの最適化の動作を実行することができる。例えば、該第１の情報は、端末が能力シグナリングの最適化をサポートすることを含んでよい。
【０１５２】
ステップ８３では、ＣＮネットワーク要素がＲＡＮネットワークにＮＧ又はＳ１メッセージ（例えば、初期コンテキストの確立要求メッセージ）を送信する。該ＮＧ又はＳ１メッセージには、登録受付メッセージと、第１の情報とが含まれる。
【０１５３】
ステップ８４では、ＲＡＮネットワーク要素が端末にＲＲＣメッセージを送信する。該ＲＲＣメッセージには、端末の登録プロセスを完了するために、登録受付メッセージが含まれてよい。
【０１５４】
ステップ８５では、端末は、ＲＡＮネットワーク要素によりＣＮネットワーク要素に登録完了メッセージを送信する。
【０１５５】
ステップ８６では、その後に、ＲＡＮネットワーク要素が端末能力識別の関連情報を取得する要求情報を端末に送信することができる。
【０１５６】
ステップ８７では、端末は、ＲＡＮネットワーク要素に端末能力識別情報をフィードバックする。
【０１５７】
図９に示すように、本開示の実施例は、主に端末が能力シグナリングの最適化能力の変更をＣＮネットワーク要素に通知するプロセスを記述する。図９に示すように、対応する通知プロセスは、以下のステップ９１〜ステップ９４を含んでよい。
【０１５８】
ステップ９１では、端末は、ＲＡＮネットワーク要素によりＮＡＳメッセージ（例えば、登録要求メッセージ）をＣＮネットワーク要素に送信する。該ＮＡＳメッセージには、第１の情報が含まれてよい。
【０１５９】
理解できるように、該第１の情報は、図１の実施例に説明したとおりであってよい。ＣＮネットワーク要素は、ＡＭＦと、ＰＣＦと、ＰＣＲＦと、ＯＡＭと、能力管理機能ネットワーク要素とのうちの少なくとも１つであってよい。ＣＮネットワーク要素は、該第１の情報に基づいて端末能力シグナリングの最適化の動作を実行することができる。
【０１６０】
本実施例では、該第１の情報は、端末が能力シグナリングの最適化をサポートしないことを指示することができる。端末が能力シグナリングの最適化をサポートすることから能力シグナリングの最適化をサポートしないことに変更する。
【０１６１】
ステップ９２では、ＣＮネットワーク要素がＲＡＮネットワーク要素にＮＧメッセージ又はＳ１メッセージを送信する。該ＮＧメッセージ又はＳ１メッセージには、ＮＡＳメッセージ（例えば、登録受付メッセージ）と、第１の情報とのうちの少なくとも１つが含まれてよい。
【０１６２】
ＣＮネットワーク要素は、第１の情報（端末が能力シグナリングの最適化をサポートしないこと）に基づいて端末能力シグナリングの最適化の動作を実行することができる。例えば、端末能力識別情報を削除するか又はサスペンドする。
【０１６３】
ステップ９３では、ＲＡＮネットワーク要素が端末にＲＲＣメッセージを送信する。該ＲＲＣメッセージは、ＮＡＳメッセージ（例えば、登録受付メッセージ）と、端末能力識別の関連情報を削除するか又はサスペンドする指示情報とのうちの少なくとも１つを含んでよい。端末は、この指示情報を受信した後、端末能力識別子を削除するか又はサスペンドすることができる。
【０１６４】
ステップ９４では、端末は、ＲＡＮネットワーク要素によりＮＡＳメッセージ（例えば、登録完了メッセージ）をＣＮネットワーク要素に送信する。
【０１６５】
図１０に示すように、本開示の実施例は、主に端末が能力シグナリングの最適化能力の変更をＲＡＮネットワーク要素に通知するプロセスを記述する。図１０に示すように、対応する通知プロセスは、以下のステップ１１〜ステップ１５を含んでよい。
【０１６６】
ステップ１１では、端末は、ＲＲＣメッセージをＲＡＮネットワーク要素に送信する。該ＲＲＣメッセージは、例えば、登録要求メッセージであってよく、第１の情報を含んでよい。
【０１６７】
理解できるように、該第１の情報は、図１の実施例に説明したとおりであってよい。
【０１６８】
例えば、本実施例では、該第１の情報は、端末が能力シグナリングの最適化をサポートしないことを含んでよく、端末の能力シグナリングの最適化能力が、能力シグナリングの最適化をサポートすることから能力シグナリングの最適化をサポートしないことに変更される。
【０１６９】
ステップ１２では、ＲＡＮネットワーク要素がＣＮネットワーク要素にＮＧメッセージ又はＳ１メッセージを送信する。該ＮＧメッセージ又はＳ１メッセージには、ＮＡＳメッセージ（登録要求メッセージ）と、第１の情報とのうちの少なくとも１つが含まれてよい。
【０１７０】
ＣＮネットワーク要素は、ＡＭＦと、ＰＣＦと、ＰＣＲＦと、ＯＡＭと、能力管理機能ネットワーク要素とのうちの少なくとも１つであってよい。ＣＮネットワーク要素は、該第１の情報に基づいて端末能力シグナリングの最適化の動作を実行することができる。例えば、該第１の情報は、端末が能力シグナリングの最適化をサポートしないことを含んでよい。
【０１７１】
ステップ１３では、ＣＮネットワーク要素における端末コンテキストに記憶された識別情報が、端末が能力シグナリングの最適化をサポートしないことを指示すれば、ＣＮネットワーク要素がＮＧ又はＳ１メッセージ（初期コンテキストの確立要求メッセージ）を送信することができ、該ＮＧ又はＳ１メッセージには、ＮＡＳメッセージ（登録受付メッセージ）と、第１の情報（端末が能力シグナリングの最適化をサポートしないこと）とのうちの少なくとも１つが含まれてよい。
【０１７２】
ステップ１４では、ＲＡＮネットワーク要素が端末にＲＲＣメッセージを送信する。該ＲＲＣメッセージは、ＮＡＳメッセージ（登録受付メッセージ）と、端末能力識別の関連情報を削除するか又はサスペンドする指示情報とのうちの少なくとも１つを含んでよい。
【０１７３】
端末は、この指示情報を受信した後、端末能力識別子を削除するか又はサスペンドすることができる。
【０１７４】
ステップ１５では、端末は、ＲＡＮネットワーク要素によりＣＮネットワーク要素に登録完了メッセージを送信する。
【０１７５】
上記実施例は、本開示の制御方法を説明し、以下、実施例及び図面を参照しながら本開示の制御方法に対応する端末を説明する。
【０１７６】
図１１に示すように、本開示の実施例に係る端末１１は、
端末が能力シグナリングの最適化をサポートするか否かの指示情報と、端末のＲＡＣＳ能力と、のうちの少なくとも１つを含む第１の情報を送信する第１の送信モジュール１１１を含む。
【０１７７】
好ましくは、上記第１の送信モジュール１１１は、具体的には、
所定の条件が満たされた場合に、上記第１の情報を送信することができ、
上記所定の条件は、端末が能力シグナリングの最適化をサポートすること、端末が能力シグナリングの最適化をサポートすることから能力シグナリングの最適化をサポートしないことに変更すること、端末が能力シグナリングの最適化をサポートしないことから能力シグナリングの最適化をサポートすることに変更すること、端末が能力シグナリングの最適化能力を有すること、端末の能力シグナリングの最適化能力の変更、端末が能力シグナリングの最適化能力を取得する要求情報を受信すること、端末の能力シグナリングの最適化能力がオンになること、及び端末の能力シグナリングの最適化能力がオフになること、のうちの少なくとも１つを含む。
【０１７８】
理解できるように、本開示の実施例では、第１の情報を送信して、ネットワーク側ネットワーク要素が、端末が能力シグナリングの最適化をサポートするか否かを知ることができるようにすることにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【０１７９】
図１２に示すように、本開示の実施例に係る端末１２は、
第１の指示情報を受信する第１の受信モジュール１２１と、
上記第１の指示情報に基づいて、端末能力識別の関連情報と第１の情報のうちの少なくとも１つを送信する第２の送信モジュール１２２と、を含み、
上記第１の指示情報が端末能力識別の関連情報の取得を要求し、上記第１の情報が、端末が能力シグナリングの最適化をサポートするか否かの指示情報と、端末のＲＡＣＳ能力と、のうちの少なくとも１つを含む。
【０１８０】
なお、上記第１の指示情報は、図２の実施例に説明したとおりであってよい。
【０１８１】
上記端末能力識別の関連情報は、図２の実施例に説明したとおりであってよい。
【０１８２】
理解できるように、本開示の実施例では、ネットワークからの要求に基づいて端末能力識別の関連情報及び／又は第１の情報を送信して、ネットワーク側ネットワーク要素に端末が能力シグナリングの最適化をサポートするか否かを知らせることができることにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【０１８３】
図１３に示すように、本開示の実施例に係るネットワーク側ネットワーク要素１３は、
端末が能力シグナリングの最適化をサポートするか否かの指示情報と、端末のＲＡＣＳ能力と、のうちの少なくとも１つを含む第１の情報を取得する第１の取得モジュール１３１と、
上記第１の情報に基づいて、端末能力シグナリングの最適化の動作を実行する実行モジュール１３２と、を含む。
【０１８４】
好ましくは、前記実行モジュール１３２は、具体的には、
端末に端末能力識別情報を割り当て、
端末能力識別の関連情報の取得を要求する第１の指示情報を第１のターゲット側に送信し、
端末能力識別情報を削除するか又はサスペンドし、
端末に端末能力識別情報を回復し、
端末能力識別の関連情報を削除するか又はサスペンドする指示情報を第２のターゲット側に送信し、
上記第１の情報を第３のターゲット側に送信する。
【０１８５】
理解できるように、該実行モジュール１３２が具体的に実行する動作は、図３の実施例に説明したとおりであってよい。
【０１８６】
理解できるように、本開示の実施例では、ネットワーク側ネットワーク要素は、取得された第１の情報に基づいて、端末能力シグナリングの最適化の動作を実行することにより、端末は、能力シグナリングの最適化をサポートする場合に、報告される端末能力シグナリングを最適化することにより、完全な端末能力情報を報告することを回避し、端末能力報告によるオーバーヘッドを低減することができる。
【０１８７】
図１４に示すように、本開示の実施例に係るネットワーク側ネットワーク要素１４は、
端末能力識別の関連情報を取得する応答情報を受信する第２の受信モジュール１４１と、
端末能力識別の関連情報を取得する上記応答情報に基づいて、上記端末がＲＡＣＳをサポートするか否か、又はＲＡＣＳ能力を有するか否かを決定する決定モジュール１４２と、を含む。
【０１８８】
なお、端末能力識別の関連情報を取得する上記応答情報は、図４の実施例に説明したように、端末能力識別情報と端末能力情報のうちの少なくとも１つを含んでよい。
【０１８９】
好ましくは、上記ネットワーク側ネットワーク要素１４は、
端末能力識別の関連情報を取得する要求情報を送信する第４の送信モジュールをさらに含んでよい。
【０１９０】
好ましくは、上記決定モジュール１４２は、具体的には、
端末能力識別の関連情報を取得する上記応答情報には端末能力識別情報が含まれる場合に、上記端末がＲＡＣＳをサポートするか、又はＲＡＣＳ能力を有することを決定し、
或いは、端末能力識別の関連情報を取得する上記応答情報には端末能力識別情報が含まれない場合に、上記端末がＲＡＣＳをサポートしないか、又はＲＡＣＳ能力を有さないことを決定する。
【０１９１】
理解できるように、本開示の実施例では、端末の応答情報に基づいて、端末がＲＡＣＳをサポートするか否かをネットワークが知ることを支援することができる。
【０１９２】
図１５に示すように、本開示の実施例に係る端末１５は、
第３の情報を取得する第２の取得モジュール１５１と、
上記第３の情報に基づいて、端末能力識別の関連情報を送信する第３の送信モジュール１５２と、を含み、
上記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む。
【０１９３】
なお、上記端末能力識別の関連情報は、図５の実施例に説明したように、端末能力識別情報と、能力識別情報のタイプ情報と、能力識別情報によりマッピングされた端末能力情報と、のうちの少なくとも１つを含んでよい。
【０１９４】
理解できるように、本開示の実施例では、第３の情報に基づいて端末能力識別の関連情報を送信することにより、端末は、ネットワークが端末能力シグナリングの最適化をサポートすることを知る場合に、報告される端末能力シグナリングを最適化することにより、完全な端末能力情報を報告することを回避し、端末能力報告によるオーバーヘッドを低減することができる。ネットワークが端末能力シグナリングの最適化をサポートしない場合に、端末は、能力識別情報を報告せず、能力識別情報の報告ポリシーを起動しないことにより、端末オーバーヘッドを節約することができる。
【０１９５】
図１６に示すように、本開示の実施例に係るネットワーク側ネットワーク要素１６は、
第２の情報を取得する第３の取得モジュール１６１と、
上記第２の情報に基づいて、第３の情報を送信する第４の送信モジュール１６２と、を含み、
上記第２の情報が、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
上記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む。
【０１９６】
好ましくは、上記ネットワークが端末能力シグナリングの最適化をサポートするか否かの指示情報が、ネットワークが端末能力シグナリングの最適化をサポートすることを指示する場合、上記ネットワークが端末能力シグナリングの最適化をサポートすることは、ＲＡＮネットワーク要素が端末能力シグナリングの最適化をサポートすることと、ＣＮネットワーク要素が端末能力シグナリングの最適化をサポートすることと、ＲＡＮネットワーク要素及びＣＮネットワーク要素がいずれも端末能力シグナリングの最適化をサポートすることと、のうちのいずれか１つを含んでよい。
【０１９７】
好ましくは、上記ネットワーク側ネットワーク要素がＲＡＮネットワーク要素である場合、上記ＲＡＮネットワーク要素は、ブロードキャストメッセージにより上記第３の情報を送信することができ、
或いは、上記ネットワーク側ネットワーク要素がＲＡＮネットワーク要素である場合、上記ＲＡＮネットワーク要素は、ＣＮネットワーク要素から上記ＣＮネットワーク要素が端末能力シグナリングの最適化をサポートするか否かの指示情報を取得することができ、
或いは、上記ネットワーク側ネットワーク要素がＣＮネットワーク要素である場合、上記ＣＮネットワーク要素は、端末アクセス時に上記端末に上記第３の情報を送信することができる。
【０１９８】
理解できるように、本開示の実施例では、第３の情報を送信することにより、端末は、ネットワークが端末能力シグナリングの最適化をサポートすることを知る場合に、報告される端末能力シグナリングを最適化することにより、完全な端末能力情報を報告することを回避し、端末能力報告によるオーバーヘッドを低減することができる。ネットワークが端末能力シグナリングの最適化をサポートしない場合に、端末は、能力識別情報を報告せず、能力識別情報の報告ポリシーを起動しないことにより、端末オーバーヘッドを節約することができる。
【０１９９】
本開示の実施例は、プロセッサと、メモリと、上記メモリに記憶されて上記プロセッサ上で動作可能なコンピュータプログラムとを含み、該コンピュータプログラムが上記プロセッサによって実行されると、端末に適用される上記制御方法の実施例の各プロセスを実現でき、かつ同じ技術的効果を達成できる端末をさらに提供し、重複を避けるために、ここで説明を省略する。
【０２００】
具体的には、図１７は、本開示の各実施例を実現する端末のハードウェア概略構成図であり、端末１７００は、無線周波数ユニット１７０１、ネットワークモジュール１７０２、オーディオ出力ユニット１７０３、入力ユニット１７０４、センサ１７０５、表示ユニット１７０６、ユーザ入力ユニット１７０７、インタフェースユニット１７０８、メモリ１７０９、プロセッサ１７１０及び電源１７１１などの部品を含むが、これらに限定されない。当業者が理解できるように、図１７に示す端末の構成は、端末を限定するものではなく、端末は、図示より多いか又は少ない部品を含んでよく、ある部品を組み合わせたり、部品を異なるように配置したりしてよい。本開示の実施例では、端末は、携帯電話、タブレットコンピュータ、ノートパソコン、パームトップコンピュータ、車載端末、ウェアラブルデバイス及び歩数計などを含むが、これらに限定されない。
【０２０１】
無線周波数ユニット１７０１は、端末が能力シグナリングの最適化をサポートするか否かの指示情報と、端末の能力シグナリングの最適化能力と、のうちの少なくとも１つを含む第１の情報を送信する。
【０２０２】
或いは、無線周波数ユニット１７０１は、第１の指示情報を受信し、上記第１の指示情報に基づいて、端末能力識別の関連情報と第１の情報のうちの少なくとも１つを送信する。上記第１の指示情報は、端末能力識別の関連情報の取得を要求し、上記第１の情報は、端末が能力シグナリングの最適化をサポートするか否かの指示情報と、端末の能力シグナリングの最適化能力と、のうちの少なくとも１つを含む。
【０２０３】
或いは、プロセッサ１７１０は、第３の情報を取得し、
無線周波数ユニット１７０１は、上記第３の情報に基づいて、端末能力識別の関連情報を送信する。上記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む。
【０２０４】
理解できるように、本開示の実施例では、端末は、能力シグナリングの最適化をサポートする場合に、報告される端末能力シグナリングを最適化することにより、完全な端末能力情報を報告することを回避し、端末能力報告によるオーバーヘッドを低減することができる。
【０２０５】
理解すべきこととして、本開示の実施例では、無線周波数ユニット１７０１は、情報の送受信、又は通話中の信号の送受信に用いられてよく、具体的には、基地局からのダウンリンクデータを受信した後、プロセッサ１７１０に処理させ、また、アップリンクデータを基地局に送信する。一般的に、無線周波数ユニット１７０１は、アンテナ、少なくとも１つの増幅器、送受信機、カプラ、低雑音増幅器、デュプレクサなどを含むが、これらに限定されない。また、無線周波数ユニット１７０１は、さらに、無線通信システムによりネットワーク及び他の装置と通信することができる。
【０２０６】
端末は、ネットワークモジュール１７０２によりユーザに無線のブロードバンドインターネットアクセスを提供して、例えば、ユーザの電子メールの送受信、ウェブの閲覧及びストリーミングメディアのアクセスなどを支援する。
【０２０７】
オーディオ出力ユニット１７０３は、無線周波数ユニット１７０１又はネットワークモジュール１７０２によって受信されるか、又はメモリ１７０９に記憶されているオーディオデータをオーディオ信号に変換して音声として出力することができる。また、オーディオ出力ユニット１７０３は、さらに端末１７００によって実行される特定の機能に関連するオーディオ出力（例えば、呼出音、メッセージ着信音等）を提供することができる。オーディオ出力ユニット１７０３は、スピーカー、ブザー及びレシーバーなどを含む。
【０２０８】
入力ユニット１７０４は、オーディオ又はビデオ信号を受信する。入力ユニット１７０４は、グラフィック処理ユニット（Ｇｒａｐｈｉｃｓ  Ｐｒｏｃｅｓｓｉｎｇ  Ｕｎｉｔ、ＧＰＵ）１７０４１及びマイク１７０４２を含んでよく、グラフィック処理ユニット１７０４１は、ビデオ撮影モード又は画像撮影モードで撮影装置（例えば、カメラ）により取得された静止画像又はビデオの画像データを処理する。処理後の画像フレームは、表示ユニット１７０６に表示されてよい。グラフィック処理ユニット１７０４１によって処理された画像フレームは、メモリ１７０９（又は他の記憶媒体）に記憶されてもよく、無線周波数ユニット１７０１又はネットワークモジュール１７０２によって送信されてもよい。マイク１７０４２は、音声を受信し、かつこのような音声をオーディオデータに処理することができる。処理後のオーディオデータは、電話通話モードで無線周波数ユニット１７０１によって移動通信基地局に送信可能なフォーマットに変換されて出力することができる。
【０２０９】
端末１７００は、光センサ、動きセンサ及び他のセンサなどの少なくとも１種のセンサ１７０５をさらに含む。具体的には、光センサは、環境光線の明るさに応じて表示パネル１７０６１の輝度を調整することができる環境光センサと、端末１７００が耳元に移動するときに表示パネル１７０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、縦向き／横向き画面の切替、ゲーム関連、磁力計の姿勢較正）の識別、振動識別に関連する機能（例えば、歩数計、タッピング）などに用いられてよく、センサ１７０５は、指紋センサ、圧力センサ、虹彩センサ、分子センサ、ジャイロスコープ、気圧計、湿度計、温度計、赤外線センサなどをさらに含んでもよく、ここでは説明を省略する。
【０２１０】
表示ユニット１７０６は、ユーザにより入力された情報又はユーザに提供された情報を表示する。表示ユニット１７０６は、表示パネル１７０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形式で表示パネル１７０６１を設定することができる。
【０２１１】
ユーザ入力ユニット１７０７は、入力された数字又は文字情報を受信すると共に、端末のユーザ設定及び機能制御に関連するキー信号入力を生成することができる。具体的には、ユーザ入力ユニット１７０７は、タッチパネル１７０７１及び他の入力装置１７０７２を含む。タッチパネル１７０７１は、タッチスクリーンとも呼ばれ、タッチパネル上又はタッチパネルの近くでのユーザのタッチ操作（例えば、指、スタイラスペン等の任意の適切な物体又は付属品を用いるタッチパネル１７０７１上又はタッチパネル１７０７１の近くでのユーザの操作）を収集することができる。タッチパネル１７０７１は、タッチ検出装置及びタッチコントローラの２つの部品を含んでよい。タッチ検出装置は、ユーザのタッチ方向を検出し、かつタッチ操作による信号を検出し、信号をタッチコントローラに伝送し、タッチコントローラは、タッチ検出装置からタッチ情報を受信し、かつタッチポイント座標に変換して、プロセッサ１７１０に送信し、プロセッサ１７１０から送信されたコマンドを受信し、かつ実行する。また、抵抗式、容量式、赤外線式及び表面弾性波式などの複数のタイプでタッチパネル１７０７１を実現することができる。タッチパネル１７０７１に加えて、入力ユニット１７０７は、他の入力装置１７０７２をさらに含んでよい。具体的には、他の入力装置１７０７２は、物理キーボード、機能キー（例えば、ボリューム調節キー、スイッチキーなど）、トラックボール、マウス及びジョイスティックを含んでよいが、これらに限定されず、ここで説明を省略する。
【０２１２】
さらに、タッチパネル１７０７１は、表示パネル１７０６１をカバーすることができ、タッチパネル１７０７１がタッチパネル上又はタッチパネルの近くでのタッチ操作を検出した後、プロセッサ１７１０に送信してタッチイベントのタイプを決定し、その後に、プロセッサ１７１０は、タッチイベントのタイプに応じて対応する視覚的出力を表示パネル１７０６１に提供する。図１７において、タッチパネル１７０７１と表示パネル１７０６１は、２つの独立した部品として端末の入力と出力機能を実現するが、いくつかの実施例では、タッチパネル１７０７１と表示パネル１７０６１を一体化して端末の入力と出力機能を実現することができ、ここで具体的に限定しない。
【０２１３】
インタフェースユニット１７０８は、外部装置と端末１７００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット１７０８は、外部装置からの入力（例えば、データ情報、電力など）を受信すると共に、受信した入力を端末１７００内の１つ以上の素子に伝送するか又は端末１７００と外部装置との間のデータ伝送に用いる。
【０２１４】
メモリ１７０９は、ソフトウェアプログラム及び様々なデータを記憶することができる。メモリ１７０９は、主に、オペレーティングシステム、少なくとも１つの機能（例えば、音声再生機能、画像再生機能など）に必要なアプリケーションプログラムなどを記憶できるプログラム記憶領域と、携帯電話の使用に応じて作成されたデータ（例えば、オーディオデータ、電話帳など）などを記憶できるデータ記憶領域とを含んでよい。携帯電話の使用に応じて作成されたデータ等（例えば、オーディオデータ、電話帳等）を記憶することができるデータ記憶領域とを含んでよい。また、メモリ１７０９は、高速ランダムアクセスメモリを含んでもよく、少なくとも１つの磁気ディスクメモリ素子、フラッシュメモリ素子などの不揮発性メモリ又は他の揮発性固体メモリ素子を含んでもよい。
【０２１５】
プロセッサ１７１０は、端末の制御センターであり、様々なインタフェースと回線により端末全体の各部分に接続され、メモリ１７０９に記憶されているソフトウェアプログラム及び／又はモジュールを動作させるか又は実行し、メモリ１７０９に記憶されているデータを呼び出すことにより、端末の様々な機能とデータ処理を実行して、端末全体を監視する。プロセッサ１７１０は、１つ以上の処理ユニットを含んでよく、好ましくは、プロセッサ１７１０は、主にオペレーティングシステム、ユーザインタフェース及びアプリケーションプログラムなどを処理するアプリケーションプロセッサと、主に無線通信を処理するモデムプロセッサとを集積することができる。理解できるように、上記モデムプロセッサは、プロセッサ１７１０に集積されなくてよい。
【０２１６】
端末１７００は、各部品に給電する電源１７１１（例えば、電池）をさらに含んでよく、好ましくは、電源１７１１は、電源管理システムによりプロセッサ１７１０と論理的に接続されて、電源管理システムにより充電、放電の管理及び消費電力の管理などの機能を実現することができる。
【０２１７】
また、端末１７００は、いくつかの未図示の機能モジュールを含んでよく、ここでは説明を省略する。
【０２１８】
本開示の実施例は、メモリと、プロセッサと、上記メモリ上に記憶されて上記プロセッサ上で動作でき、上記プロセッサによって実行されると、ネットワーク側ネットワーク要素に適用される上記制御方法の実施例の各プロセスを実現し、かつ同じ技術的効果を達成できるコンピュータプログラムとを含む、ネットワーク側ネットワーク要素をさらに提供し、重複を避けるため、ここでは説明を省略する。
【０２１９】
具体的には、図１８は、本開示の各実施例を実現するネットワーク側ネットワーク要素のハードウェア概略構成図であり、上記ネットワーク側ネットワーク要素１８０は、バス１８１と、送受信機１８２と、アンテナ１８３と、バスインタフェース１８４と、プロセッサ１８５と、メモリ１８６とを含むが、これらに限定されない。
【０２２０】
本開示の実施例では、上記ネットワーク側ネットワーク要素１８０は、メモリ１８６上に記憶されてプロセッサ１８５上で動作できるコンピュータプログラムを含む。コンピュータプログラムは、プロセッサ１８５によって実行されると、
端末が能力シグナリングの最適化をサポートするか否かの指示情報と、端末の能力シグナリングの最適化能力と、のうちの少なくとも１つを含む第１の情報を取得するステップと、
上記第１の情報に基づいて、端末能力シグナリングの最適化の動作を実行するステップと、を実現することができる。
【０２２１】
或いは、コンピュータプログラムは、プロセッサ１８５によって実行されると、
端末能力識別の関連情報を取得する応答情報を受信するステップと、
端末能力識別の関連情報を取得する上記応答情報に基づいて、上記端末が能力シグナリングの最適化をサポートするか否か、又は能力シグナリングの最適化能力を有するか否かを決定するステップと、を実現することができる。
【０２２２】
或いは、コンピュータプログラムは、プロセッサ１８５によって実行されると、
第２の情報を取得するステップと、
上記第２の情報に基づいて、第３の情報を送信するステップと、をさらに実現することができ、
上記第２の情報が、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
上記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む。
【０２２３】
送受信機１８２は、プロセッサ１８５による制御下で、データを受信し送信する。
【０２２４】
図１８において、バスアーキテクチャ（バス１８１で代表される）について、バス１８１は、任意の数の相互接続されたバス及びブリッジを含んでよく、かつプロセッサ１８５に代表される１つ以上のプロセッサ及びメモリ１８６に代表されるメモリの様々な回路を一体に接続する。バス１８１は、さらに、周辺機器、レギュレータ、電力管理回路などの様々な回路を接続することができ、これらは、いずれも本分野において周知であるため、ここではその説明を省略する。バスインタフェース１８４は、バス１８１と送受信機１８２との間にインタフェースを提供する。送受信機１８２は、１つの部品であってもよく、複数の受信機と送信機などの複数の部品であってもよく、伝送媒体上で様々な他の装置と通信するユニットを提供する。プロセッサ１８５で処理されたデータは、アンテナ１８３により無線媒体上で伝送され、さらに、アンテナ１８３は、データを受信してデータをプロセッサ１８５に伝送する。
【０２２５】
プロセッサ１８５は、バス１８１の管理と通常の処理を担当し、さらに、タイミング、周辺インタフェース、電圧調整、電源管理及びその他の制御機能を含む様々な機能を提供することができる。また、メモリ１８６は、プロセッサ１８５が動作を実行するときに用いるデータを記憶してよい。
【０２２６】
好ましくは、プロセッサ１８５は、ＣＰＵ、ＡＳＩＣ、ＦＰＧＡ又はＣＰＬＤであってもよい。
【０２２７】
本開示の実施例は、プロセッサによって実行されると、上記制御方法の実施例の各プロセスを実現し、かつ同様な技術的効果を達成することができるコンピュータプログラムが記憶されているコンピュータ可読記憶媒体をさらに提供し、重複を避けるため、ここでは説明を省略する。該コンピュータ可読記憶媒体は、読み取り専用メモリ（Ｒｅａｄ−Ｏｎｌｙ  Ｍｅｍｏｒｙ、ＲＯＭと略称する）、ランダムアクセスメモリ（Ｒａｎｄｏｍ  Ａｃｃｅｓｓ  Ｍｅｍｏｒｙ、ＲＡＭと略称する）、ディスク又は光ディスクなどであってよい。
【０２２８】
なお、本明細書において、用語「含む」、「含有」又はその如何なる他の変形は、非排他性の包含をカバーすることを意図することにより、一連の要素を含むプロセス、方法、物品又は装置は、これらの要素を含むだけでなく、明確に列記されていない他の要素も含み、又はこのようなプロセス、方法、物品又は装置の固有の要素をさらに含む。より多くの限定がない場合に、語句「１つ・・・を含む」により限定された要素は、該要素を含むプロセス、方法、物品又は装置に別の同一の要素がさらに存在することを排除するものではない。
【０２２９】
以上の実施形態の説明により、当業者が明確に理解できるように、上記実施例の方法は、ソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク側ネットワーク要素などであってよい）に本開示の各実施例に記載の方法を実行させるための複数の命令を含む。本開示におけるハードウェアは、電子回路、プログラマブルな論理デバイス、プロセッサ、プログラマブルなプロセッサ、専用の集積回路などを含むが、これらに限定されない。
【０２３０】
以上で図面を参照して本開示の実施例を説明したが、本開示は、上記具体的な実施形態に限定されるものではなく、上記具体的な実施形態は、制限的なものではなく、例示的なものに過ぎず、当業者であれば、本開示の示唆で、本開示の趣旨及び特許請求の範囲の保護範囲から逸脱せずに多くの形態を行うことができ、これらは、いずれも本開示の保護範囲内に属する。
【図１】
2021532678.tif 000003
【図２】
2021532678.tif 000004
【図３】
2021532678.tif 000005
【図４】
2021532678.tif 000006
【図５】
2021532678.tif 000007
【図６】
2021532678.tif 000008
【図７】
2021532678.tif 000009
【図８】
2021532678.tif 000010
【図９】
2021532678.tif 000011
【図１０】
2021532678.tif 000012
【図１１】
2021532678.tif 000013
【図１２】
2021532678.tif 000014
【図１３】
2021532678.tif 000015
【図１４】
2021532678.tif 000016
【図１５】
2021532678.tif 000017
【図１６】
2021532678.tif 000018
【図１７】
2021532678.tif 000019
【図１８】
2021532678.tif 000020
【手続補正書】
【提出日】令和3年3月24日(2021.3.24)
【手続補正１】
【補正対象書類名】明細書
【補正対象項目名】００３１
【補正方法】変更
【補正の内容】
【００３１】
問題２：端末がいくつかの特別なシーンでは、例えば、ネットワーク試験の際に、いくつかの端末能力を動的にオフにする可能性がある。このとき、それに応じて能力識別情報を動的に変更すれば、頻繁に報告を変更することになり、ネットワークは、さらに変更後の能力識別情報によりマッピングされた端末能力を端末から取得し、大量のシグナリングオーバーヘッドをもたらす。能力識別情報を変更しなければ、該能力識別情報と端末能力との間は１対１のマッピング関係ではない。したがって、いくつかのシーンでは、能力シグナリングの最適化機能をサポートする端末に対して、該能力シグナリングの最適化機能をオフにすることができる。しかしながら、現在、シグナリングの最適化機能能力の変更をサポートしていない。
【手続補正２】
【補正対象書類名】明細書
【補正対象項目名】００４４
【補正方法】変更
【補正の内容】
【００４４】
好ましくは、端末ネットワーク能力は、５Ｇネットワーク能力、４Ｇネットワーク能力（例えば、ＵＥ  Ｎｅｔｗｏｒｋ  ｃａｐａｂｉｌｉｔｙ）及び３Ｇネットワーク能力（例えば、ＭＳ  Ｎｅｔｗｏｒｋ  ｃａｐａｂｉｌｉｔｙ）などのうちの少なくとも１つを含んでよい。
【手続補正３】
【補正対象書類名】明細書
【補正対象項目名】００４７
【補正方法】変更
【補正の内容】
【００４７】
本開示の実施例では、「カード」は、ＵＩＣＣ（Ｕｎｉｖｅｒｓａｌ  Ｉｎｔｅｇｒａｔｅｄ  Ｃｉｒｃｕｉｔ  Ｃａｒｄ）、ＳＩＭ（Ｓｕｂｓｃｒｉｂｅｒ  Ｉｄｅｎｔｉｔｙ  Ｍｏｄｕｌｅ）、ｅＳＩＭ、及びｅＵＩＣＣであってよいが、これらに限定されない。カードは、エンティティカードであってよい。さらに、第Ｎのカードは、サービスネットワークのカードを第Ｎのカードスロットに設置することを表すことができる。メインカードは、サービスネットワークのカードをメインカードスロットに設置することを表すことができ、サブカードは、サービスネットワークのカードをサブカードスロットに設置することを表すことができる。カード位置情報は、カードスロット情報と呼ばれてよい。
【手続補正４】
【補正対象書類名】明細書
【補正対象項目名】０１４３
【補正方法】変更
【補正の内容】
【０１４３】
ＣＮネットワーク要素は、第１の情報に基づいて端末能力シグナリングの最適化の動作を実行することができる。図２の実施例に説明したとおりである。例えば、該第１の情報は、端末が能力シグナリングの最適化をサポートすることを指示してよい。
【手続補正５】
【補正対象書類名】特許請求の範囲
【補正対象項目名】全文
【補正方法】変更
【補正の内容】
【特許請求の範囲】
【請求項１】
端末に適用される制御方法であって、
端末が能力シグナリングの最適化をサポートするか否かの指示情報と、端末の能力シグナリングの最適化能力と、のうちの少なくとも１つを含む第１の情報を送信するステップを含む、制御方法。
【請求項２】
前記第１の情報を送信するステップは、
所定の条件が満たされた場合に、前記第１の情報を送信することを含み、
前記所定の条件が、端末が能力シグナリングの最適化をサポートすること、端末が能力シグナリングの最適化をサポートすることから能力シグナリングの最適化をサポートしないことに変更すること、端末が能力シグナリングの最適化をサポートしないことから能力シグナリングの最適化をサポートすることに変更すること、端末が能力シグナリングの最適化能力を有すること、端末の能力シグナリングの最適化能力の変更、端末が能力シグナリングの最適化能力を取得する要求情報を受信すること、端末の能力シグナリングの最適化能力がオンになること、及び端末の能力シグナリングの最適化能力がオフになること、のうちの少なくとも１つを含む、請求項１に記載の制御方法。
【請求項３】
端末に適用される制御方法であって、
第１の指示情報を受信するステップと、
前記第１の指示情報に基づいて、端末能力識別の関連情報と第１の情報のうちの少なくとも１つを送信するステップと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む、制御方法。
【請求項４】
前記第１の指示情報は、
能力識別情報を取得するか否かの指示情報と、能力識別情報のタイプ情報と、能力識別情報及び端末能力情報を取得するか否かの指示情報と、端末能力情報を取得するか否かの指示情報と、のうちの少なくとも１つを含む、請求項３に記載の制御方法。
【請求項５】
前記能力識別情報のタイプ情報は、
能力識別情報に対応するカードスロット情報と、能力識別情報に対応するカード情報と、能力識別情報に対応するサービスネットワーク情報と、能力識別情報のネットワークタイプ情報と、のうちの少なくとも１つを含み、
前記能力識別情報に対応するカードスロット情報は、カードスロットの識別情報と、カードスロットの番号と、第１のカードスロットの情報と、第２のカードスロットの情報と、メインカードスロット又はサブカードスロットの指示情報と、能力が全てのカードスロットに適用されるか否かの指示情報と、能力がカードスロットを区別しないか否かの指示情報と、のうちの少なくとも１つを含み、
前記能力識別情報に対応するカード情報は、カードの番号と、カードの所在するカードスロットの番号と、メインカード又はサブカードの指示情報と、能力が全てのカードに適用されるか否かの指示情報と、能力がカードを区別しないか否かの指示情報と、のうちの少なくとも１つを含み、
前記能力識別情報に対応するサービスネットワーク情報は、サービスネットワークのネットワーク識別情報と、能力識別情報が全てのサービスネットワークに適用されるか否かの指示情報と、能力識別情報がサービスネットワークを区別しないか否かの指示情報と、のうちの少なくとも１つを含み、
前記能力識別情報に対応するネットワークタイプ情報は、ネットワークタイプと、能力識別情報が全てのネットワークタイプに適用されるか否かの指示情報と、能力識別情報がネットワークタイプを区別しないか否かの指示情報と、のうちの少なくとも１つを含む、請求項４に記載の制御方法。
【請求項６】
前記端末能力識別の関連情報は、
端末能力識別情報と、能力識別情報のタイプ情報と、能力識別情報によりマッピングされた端末能力情報と、のうちの少なくとも１つを含み、
前記端末能力識別の関連情報を送信するステップは、
能力識別情報を取得するか否かの前記指示情報が能力識別情報を取得することを指示する場合、端末能力識別情報、及び／又は、端末能力識別情報によりマッピングされた端末能力情報を送信するステップと、
能力識別情報を取得するか否かの前記指示情報が能力識別情報を取得しないことを指示する場合、端末能力情報を送信するステップと、
能力識別情報及び端末能力情報を取得するか否かの前記指示情報が能力識別情報及び端末能力情報を取得することを指示する場合、端末能力識別情報、及び／又は、端末能力情報を送信するステップと、
前記能力識別情報のタイプ情報に基づいて、前記能力識別情報のタイプ情報に対応する端末能力識別情報を送信するステップと、
端末能力情報を取得するか否かの前記指示情報が端末能力情報を取得することを指示する場合、端末能力情報、及び／又は、前記端末能力情報によりマッピングされた端末能力識別情報を送信するステップと、のうちの少なくとも１つを含む、請求項３に記載の制御方法。
【請求項７】
ネットワーク側ネットワーク要素に適用される制御方法であって、
端末が能力シグナリングの最適化をサポートするか否かの指示情報と、端末の能力シグナリングの最適化能力と、のうちの少なくとも１つを含む第１の情報を取得するステップと、
前記第１の情報に基づいて、端末能力シグナリングの最適化の動作を実行するステップと、を含む、制御方法。
【請求項８】
前記端末能力シグナリングの最適化の動作を実行するステップは、
端末に端末能力識別情報を割り当てるステップと、
端末能力識別の関連情報の取得を要求する第１の指示情報を第１のターゲット側に送信するステップと、
端末能力識別情報を削除するか又はサスペンドするステップと、
端末に端末能力識別情報を回復するステップと、
端末能力識別の関連情報を削除するか又はサスペンドする指示情報を第２のターゲット側に送信するステップと、
前記第１の情報を第３のターゲット側に送信するステップと、のうちの少なくとも１つを含む、請求項７に記載の制御方法。
【請求項９】
前記端末に端末能力識別情報を割り当てるステップは、
端末が第１の条件を満たす場合に、前記端末に前記端末能力識別情報を割り当てるステップを含み、
及び／又は、
前記端末能力識別情報を取得する指示情報を第１のターゲット側に送信するステップは、
端末が第１の条件を満たす場合に、前記端末能力識別情報を取得する前記指示情報を前記第１のターゲット側に送信することを含み、
及び／又は、
端末能力識別情報を削除するか又はサスペンドする前記ステップは、
端末が第２の条件を満たす場合に、前記端末能力識別情報を削除するか又はサスペンドするステップを含み、
及び／又は、
端末能力識別情報を削除するか又はサスペンドする指示情報を第２のターゲット側に送信する前記ステップは、
端末が第２の条件を満たす場合に、端末能力識別情報を削除するか又はサスペンドする前記指示情報を前記第２のターゲット側に送信するステップを含み、
及び／又は、
前記端末に端末能力識別情報を回復するステップは、
端末が第３の条件を満たす場合に、前記端末に前記端末能力識別情報を回復するステップを含み、
及び／又は、
前記第１の情報を第３のターゲット側に送信するステップは、
端末が第４の条件を満たす場合に、前記第１の情報を前記第３のターゲット側に送信するステップを含み、 
前記第１の条件が、端末が能力シグナリングの最適化をサポートすることと、端末が能力シグナリングの最適化能力を有することと、端末能力識別情報が存在しないことと、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含み、 
前記第２の条件が、端末の能力シグナリングの最適化能力が能力シグナリングの最適化をサポートすることから能力シグナリングの最適化をサポートしないことに変更されることと、端末の能力シグナリングの最適化能力がオフになることと、のうちの少なくとも１つを含み、
前記第３の条件が、端末の能力シグナリングの最適化能力が能力シグナリングの最適化をサポートしないことから能力シグナリングの最適化をサポートすることに変更されることと、端末の能力シグナリングの最適化能力がオンになることと、のうちの少なくとも１つを含み、
前記第４の条件が、端末が能力シグナリングの最適化をサポートすることと、端末が能力シグナリングの最適化能力を有することと、端末の能力シグナリングの最適化能力の変更と、のうちの少なくとも１つを含む、請求項８に記載の制御方法。
【請求項１０】
ネットワーク側ネットワーク要素に適用される制御方法であって、
端末能力識別の関連情報を取得する応答情報を受信するステップと、
端末能力識別の関連情報を取得する前記応答情報に基づいて、端末が能力シグナリングの最適化をサポートするか否か、又は能力シグナリングの最適化能力を有するか否かを決定するステップと、を含み、
前記端末能力識別の関連情報を取得する応答情報は、端末能力識別情報と端末能力情報のうちの少なくとも１つを含む、制御方法。
【請求項１１】
端末に適用される制御方法であって、
第３の情報を取得するステップと、
前記第３の情報に基づいて、端末能力識別の関連情報を送信するステップと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含み、
前記端末能力識別の関連情報は、端末能力識別情報と、能力識別情報のタイプ情報と、能力識別情報によりマッピングされた端末能力情報と、のうちの少なくとも１つを含む、制御方法。
【請求項１２】
ネットワーク側ネットワーク要素に適用される制御方法であって、
第２の情報を取得するステップと、
前記第２の情報に基づいて、第３の情報を送信するステップと、を含み、
前記第２の情報が、 ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む、制御方法。
【請求項１３】
前記ネットワーク側ネットワーク要素がＲＡＮネットワーク要素である場合、前記ＲＡＮネットワーク要素は、ブロードキャストメッセージにより前記第３の情報を送信し、
或いは、前記ネットワーク側ネットワーク要素がＲＡＮネットワーク要素である場合、前記ＲＡＮネットワーク要素は、ＣＮネットワーク要素から前記ＣＮネットワーク要素が端末能力シグナリングの最適化をサポートするか否かの指示情報を取得し、
或いは、前記ネットワーク側ネットワーク要素がＣＮネットワーク要素である場合、前記ＣＮネットワーク要素は、端末アクセス時に前記端末に前記第３の情報を送信する、請求項１２に記載の制御方法。
【請求項１４】
端末が能力シグナリングの最適化をサポートするか否かの指示情報と、端末の能力シグナリングの最適化能力と、のうちの少なくとも１つを含む第１の情報を送信する第１の送信モジュールを含む、端末。
【請求項１５】
第１の指示情報を受信する第１の受信モジュールと、
前記第１の指示情報に基づいて、端末能力識別の関連情報と第１の情報のうちの少なくとも１つを送信する第２の送信モジュールと、を含み、
前記第１の指示情報が端末能力識別の関連情報の取得を要求し、前記第１の情報が、端末が能力シグナリングの最適化をサポートするか否かの指示情報と、端末の能力シグナリングの最適化能力と、のうちの少なくとも１つを含む、端末。
【請求項１６】
端末が能力シグナリングの最適化をサポートするか否かの指示情報と、端末の能力シグナリングの最適化能力と、のうちの少なくとも１つを含む第１の情報を取得する第１の取得モジュールと、
前記第１の情報に基づいて、端末能力シグナリングの最適化の動作を実行する実行モジュールと、を含む、ネットワーク側ネットワーク要素。
【請求項１７】
端末能力識別の関連情報を取得する応答情報を受信する第２の受信モジュールと、
端末能力識別の関連情報を取得する前記応答情報に基づいて、端末が能力シグナリングの最適化をサポートするか否か、又は能力シグナリングの最適化能力を有するか否かを決定する決定モジュールと、を含む、ネットワーク側ネットワーク要素。
【請求項１８】
第３の情報を取得する第２の取得モジュールと、
前記第３の情報に基づいて、端末能力識別の関連情報を送信する第３の送信モジュールと、を含み、
前記第３の情報が、ネットワークが端末能力シグナリングの最適化をサポートするか否かの指示情報と、無線アクセスネットワークＲＡＮネットワーク要素が端末能力シグナリングの最適化をサポートするか否かの指示情報と、コアネットワークＣＮネットワーク要素が端末能力シグナリングの最適化をサポートするか否かの指示情報と、のうちの少なくとも１つを含む、端末。
【請求項１９】
第２の情報を取得する第３の取得モジュールと、
前記第２の情報に基づいて、第３の情報を送信する第４の送信モジュールと、を含み、
前記第２の情報が、 ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含み、
前記第３の情報が、ネットワークが端末能力シグナリングの最適化をサポートするか否かの指示情報と、ＲＡＮネットワーク要素が端末能力シグナリングの最適化をサポートするか否かの指示情報と、ＣＮネットワーク要素が端末能力シグナリングの最適化をサポートするか否かの指示情報と、のうちの少なくとも１つを含む、ネットワーク側ネットワーク要素。
【請求項２０】
プロセッサによって実行されると、請求項１〜１３のいずれか１項に記載の制御方法のステップを実現するコンピュータプログラムが記憶されているコンピュータ可読記憶媒体。
【国際調査報告】
2021532678.tif 000021
2021532678.tif 000022
2021532678.tif 000023
2021532678.tif 000024